(57)【特許請求の範囲】
【請求項１】
ユーザープレーン経路修正を開始するための方法であって：
セッション管理機能エンティティーによって、第一のサービス・エリアに基づいて端末装置の位置報告粒度を決定する段階であって、前記第一のサービス・エリアは、前記端末装置のセッションにサービスする第一のユーザープレーン機能エンティティーのサービス・エリアであり；前記位置報告粒度は、前記端末装置の位置情報がそのレンジから出ている場合に移動性管理機能エンティティーが前記端末装置の位置情報を前記セッション管理機能エンティティーに報告するためのレンジを示すために使われる、段階と；
前記セッション管理機能エンティティーによって、前記位置報告粒度を前記移動性管理機能エンティティーに送る段階と；
前記セッション管理機能エンティティーによって、前記移動性管理機能エンティティーから前記端末装置の第一の位置情報を受信する段階であって、前記第一の位置情報は前記位置報告粒度内でない、段階と；
前記セッション管理機能エンティティーによって、前記第一の位置情報が第一のサービス・エリア内でないと判別する段階と；
前記判別に応答して、前記セッション管理機能エンティティーによって、前記第一の位置情報に基づいて第一の目的ユーザープレーン機能エンティティーを選択する段階と；
前記セッション管理機能エンティティーによって、前記セッションのためのユーザープレーン経路を修正する手順を開始する段階であって、前記セッションは、前記第一の目的ユーザープレーン機能エンティティーによって、修正されたユーザープレーン経路を通じてサービスされる、段階とを含む、
方法。
【請求項２】
前記セッション管理機能エンティティーによって、前記端末装置の第二の位置情報に基づいて、前記セッションが属するセッション・サービス・エリアを決定する段階をさらに含み、前記第二の位置情報は、前記端末装置の前記セッションを確立するプロセスにおいてまたは第二のユーザープレーン機能エンティティーから第三のユーザープレーン機能エンティティーへのハンドオーバーのプロセスにおいて、前記セッション管理機能エンティティーによって受信された前記端末装置の位置情報であり、前記第二のユーザープレーン機能エンティティーは、前記第三のユーザープレーン機能エンティティーへの前記ハンドオーバーの前に前記端末装置のセッションにサービスするよう構成され、前記第三のユーザープレーン機能エンティティーは前記セッションにサービスするよう構成され；
対応して、前記セッション管理機能エンティティーによって、前記第一のサービス・エリアに基づいて前記端末装置の位置報告粒度を決定する前記段階は：
前記セッション管理機能エンティティーによって、前記第一のサービス・エリアおよび前記セッション・サービス・エリアに基づいて前記端末装置の前記位置報告粒度を決定する段階を含み、前記位置報告粒度は、前記第一のサービス・エリアおよび前記セッション・サービス・エリアの交わりエリアより大きくない、
請求項１記載の方法。
【請求項３】
前記セッション管理機能エンティティーによって、少なくとも一つの位置報告要件を取得する段階をさらに含み、前記少なくとも一つの位置報告要件はエリア情報の少なくとも一つのピースを含み、前記エリア情報の少なくとも一つのピースは前記端末装置が位置情報を報告する必要があるレンジを示すために使われ、
対応して、前記セッション管理機能エンティティーによって、前記第一のサービス・エリアに基づいて位置報告粒度を決定する前記段階は：
前記セッション管理機能エンティティーによって、前記第一のサービス・エリアおよび前記エリア情報の少なくとも一つのピースに基づいて前記位置報告粒度を決定する段階を含み、前記位置報告粒度は、前記第一のサービス・エリアおよび前記エリア情報の少なくとも一つのピースの交わりである、
請求項１記載の方法。
【請求項４】
前記第一のユーザープレーン機能エンティティーがバッファリングされたデータをもつことを判別した後、前記セッション管理機能エンティティーによって、転送トンネルを確立する段階をさらに含み、前記転送トンネルは、前記第一の目的ユーザープレーン機能エンティティーと前記第一のユーザープレーン機能エンティティーとの間のトンネルであり、前記第一のユーザープレーン機能エンティティーは前記転送トンネルを通じて、前記バッファリングされたデータを前記第一の目的ユーザープレーン機能エンティティーに送る、
請求項１ないし３のうちいずれか一項記載の方法。
【請求項５】
前記第一のユーザープレーン機能エンティティーからの、前記バッファリングされたデータの送信の完了を示すフラグを受信した後、前記セッション管理機能エンティティーによって前記転送トンネルを削除すること；あるいは、前記転送トンネルを確立した後に前記セッション管理機能エンティティーによって転送タイマーを開始し、前記転送タイマーの事前設定された期間が満了した後、前記転送トンネルを削除することをさらに含む、
請求項４記載の方法。
【請求項６】
請求項１ないし５のうちいずれか一項記載の方法を実行するよう構成された、ユーザープレーン経路再修正を開始するための装置。
【請求項７】
セッション管理機能エンティティーおよび移動性管理機能エンティティーを有する通信システムであって、
前記移動性管理機能エンティティーは、端末装置の第一の位置情報を前記セッション管理機能エンティティーに送るよう構成されており、
前記セッション管理機能エンティティーは：
第一のサービス・エリアに基づいて前記端末装置の位置報告粒度を決定する段階であって、前記第一のサービス・エリアは、前記端末装置のセッションにサービスする第一のユーザープレーン機能エンティティーのサービス・エリアであり；前記位置報告粒度は、前記端末装置の位置情報がそのレンジから出ている場合に前記移動性管理機能エンティティーが前記端末装置の位置情報を前記セッション管理機能エンティティーに報告するためのレンジを示すために使われる、段階と；
前記位置報告粒度を前記移動性管理機能エンティティーに送る段階と；
前記第一の位置情報を受信する段階であって、前記第一の位置情報は前記位置報告粒度内でない、段階と；
前記第一の位置情報が第一のサービス・エリア内でないと判別する段階と；
前記判別に応答して、前記第一の位置情報に基づいて第一の目的ユーザープレーン機能エンティティーを選択する段階と；
前記セッションのためのユーザープレーン経路を修正する手順を開始する段階であって、前記セッションは、前記第一の目的ユーザープレーン機能エンティティーによって、修正されたユーザープレーン経路を通じてサービスされる、段階とを実行するように構成されている、
通信システム。
【請求項８】
前記移動性管理機能エンティティーが、前記位置報告粒度を受信し、前記端末装置の前記第一の位置情報が前記位置報告粒度内でないことを判別するようさらに構成される、
請求項７記載の通信システム。
【請求項９】
前記セッション管理機能エンティティーが：
前記端末装置の第二の位置情報に基づいて、前記セッションが属するセッション・サービス・エリアを決定するようさらに構成され、前記第二の位置情報は、前記端末装置の前記セッションを確立するプロセスにおいてまたは第二のユーザープレーン機能エンティティーから第三のユーザープレーン機能エンティティーへのハンドオーバーのプロセスにおいて、前記セッション管理機能エンティティーによって受信された前記端末装置の位置情報であり、前記第二のユーザープレーン機能エンティティーは、前記第三のユーザープレーン機能エンティティーへの前記ハンドオーバーの前に前記端末装置のセッションにサービスするよう構成され、前記第三のユーザープレーン機能エンティティーは前記セッションにサービスするよう構成され；
前記第一のサービス・エリアに基づいて前記端末装置の位置報告粒度を決定することは：
前記第一のサービス・エリアおよび前記セッション・サービス・エリアに基づいて前記端末装置の前記位置報告粒度を決定することを含み、前記位置報告粒度は、前記第一のサービス・エリアおよび前記セッション・サービス・エリアの交わりエリアより大きくない、
請求項８記載の通信システム。
【請求項１０】
前記セッション管理機能エンティティーは：
少なくとも一つの位置報告要件を取得するようさらに構成され、前記少なくとも一つの位置報告要件はエリア情報の少なくとも一つのピースを含み、前記エリア情報の少なくとも一つのピースは前記端末装置が位置情報を報告する必要があるレンジを示すために使われ、
前記第一のサービス・エリアに基づいて前記端末装置の位置報告粒度を決定することは：
前記第一のサービス・エリアおよび前記エリア情報の少なくとも一つのピースに基づいて前記位置報告粒度を決定するよう構成され、前記位置報告粒度は、前記第一のサービス・エリアおよび前記エリア情報の少なくとも一つのピースの交わりである、
請求項８記載の通信システム。
【請求項１１】
前記セッション管理機能エンティティーが：
前記第一のユーザープレーン機能エンティティーがバッファリングされたデータをもつことを判別した後、転送トンネルを確立するようさらに構成され、前記転送トンネルは、前記第一の目的ユーザープレーン機能エンティティーと前記第一のユーザープレーン機能エンティティーとの間のトンネルであり、それにより前記第一のユーザープレーン機能エンティティーは前記転送トンネルを通じて、前記バッファリングされたデータを前記第一の目的ユーザープレーン機能エンティティーに送る、
請求項７または８記載の通信システム。
【請求項１２】
前記セッション管理機能エンティティーが：
前記転送トンネルを確立した後に転送タイマーを開始し、前記転送タイマーの事前設定された期間が満了した後、前記転送トンネルを削除するようさらに構成される、
請求項１１記載の通信システム。
【請求項１３】
請求項１ないし５のうちいずれか一項記載の方法を実行するための記憶されているコンピュータ・プログラムがエンコードされているコンピュータ可読記憶媒体。
【請求項１４】
プロセッサとコンピュータ実行可能命令を記憶しているメモリを有するセッション管理機能エンティティーであって、前記コンピュータ実行可能命令は、前記プロセッサによって実行されたときに当該セッション管理機能エンティティーに請求項１ないし５のうちいずれか一項記載の方法を実行させるものである、セッション管理機能エンティティー。
【発明の詳細な説明】
【技術分野】
【０００１】
本願は2017年3月17日に中国特許庁に出願された、「ユーザープレーン経路再確立を開始するための方法および装置ならびに通信システム」と題する中国特許出願第201710161100.6号の優先権を主張するものである。同出願はここに参照によってその全体において組み込まれる。
【０００２】
技術分野
本願は、通信技術の分野に、詳細にはユーザープレーン経路再確立を開始するための方法および装置ならびに通信システムに関する。
【背景技術】
【０００３】
第五世代（5th  Generation、5G）モバイル通信技術においては、移動性管理およびセッション管理が二つのエンティティー：コア・アクセスおよび移動性管理機能（Core  Access  and  Mobility  Management  Function、AMF）およびセッション管理機能（Session  Management  Function、SMF）によって別個に実装される。AMFは、追跡エリア・リスト（Tracking  Area  List、TA  List）を作成することを含め、端末装置のための移動性管理を受け持つ。SMFは、ユーザープレーン機能（User  Plane  Function、UPF）を選択すること、パケット・データ単位（Packet  Data  Unit、PDU）セッションを確立することなどを含め、セッション管理を受け持つ。加えて、5Gでは、UPFは、それらのUPFが受け持つ異なる機能に基づいて、N3  UPFおよびPDUセッション・アンカーUPF（PDU  Session  Anchor、略PSA）に分類されることがある。N3  UPFはN3インターフェースを通じて無線アクセス・ネットワーク（Radio  Access  Network、RAN）に接続され、PSAはN6インターフェースを通じてデータ・ネットワークに接続される。各UPFは特定のサービス・レンジをもつ。具体的には、N3  UPFのサービス・レンジは、そのN3  UPFに接続されているRANのサービス・レンジの和である。端末装置がN3  UPFおよびPSAへのユーザープレーン経路を確立するとき、N3  UPFおよびPSAは一般に、その端末装置がN3  UPFのサービス・レンジおよびPSAの最適サービス・エリア内に位置するときに、その端末のために比較的良好なサービスを提供できる。
【０００４】
しかしながら、端末装置が携帯電話のようなモバイル端末装置であるときは、端末装置の位置は恒久的ではない。5Gでは、第四世代（4th  Generation、4G）モバイル通信技術と比べ、UPFの展開位置は比較的柔軟であり、UPFのサービス・レンジは展開位置によって大きく変わり、移動性管理およびセッション管理は二つのエンティティーによって別個に実装される。よって、端末装置のデータ通信によりよくサービスするために、ユーザープレーン経路が再確立される必要がある。しかしながら、既存の5G標準では、ユーザープレーン経路再確立を開始するための機構は明瞭に定義されていない。これに鑑み、本願の実施形態は、ユーザープレーン経路再確立を開始するための方法を提供する。
【発明の概要】
【０００５】
本願は、端末装置のセッションによりよくサービスし、それによりユーザー経験を改善するための、ユーザープレーン経路再確立を開始するための方法および装置ならびに通信システムを提供する。
【０００６】
第一の側面によれば、本願のある実施形態は、ユーザープレーン経路再確立を開始するための方法であって：
セッション管理機能エンティティーによって、端末装置の第一の位置情報に基づいて、前記端末装置の現在のセッションが属するセッション・サービス・エリアを決定し；移動性管理機能エンティティーによって送られた前記端末装置の第二の位置情報を受信した後、前記第二の位置情報が前記セッション・サービス・エリア内でないと判別する場合、前記端末装置に、現在のセッションのための再確立手順を開始するまたはハンドオーバー手順を開始するよう命令する段階を含み、前記ハンドオーバー手順は現在のセッションにサービスするユーザープレーン機能エンティティーから目的ユーザープレーン機能エンティティーに切り換えるために使われ、前記目的ユーザープレーン機能エンティティーは、前記ハンドオーバー手順が完了した後に前記端末装置のセッションにサービスするよう構成され、
前記第一の位置情報は、現在のセッションを確立するプロセスにおいてまたは第一のユーザープレーン機能エンティティーから第二のユーザープレーン機能エンティティーへのハンドオーバーのプロセスにおいて、前記セッション管理機能エンティティーによって受信された前記端末装置の位置情報であり、前記第一のユーザープレーン機能エンティティーは、前記第二のユーザープレーン機能エンティティーへのハンドオーバー前に前記端末装置のセッションにサービスするよう構成され、前記第二のユーザープレーン機能エンティティーは現在のセッションにサービスするよう構成される、
方法を提供する。
【０００７】
本願のこの実施形態における現在のセッションを確立するプロセスは、現在のセッションを初期に確立するプロセスと、セッションを現在のセッションに再確立するプロセスとを含むことを注意しておくべきである。
【０００８】
セッション・サービス・エリアの導入のため、端末装置が二つの隣接するユーザープレーン機能エンティティーのサービス・エリアの端において行ったり来たりするとき、二つのユーザープレーン機能エンティティーの間での頻繁なハンドオーバーによって引き起こされるピンポン効果が回避され、ユーザー経験が改善される。
【０００９】
第一の側面に基づき、ある可能な実装では、セッション・サービス・エリアは現在のセッションにサービスするユーザープレーン機能エンティティーのサービス・エリアを含む。
【００１０】
第一の側面に基づき、ある可能な実装では、セッション・サービス・エリアが現在のセッションにサービスするユーザープレーン機能エンティティーのサービス・エリアの一部を含むときには、前記セッション管理機能エンティティーが移動性管理機能エンティティーによって送られた前記端末装置の第二の位置情報を受信した後、前記第二の位置情報が前記セッション・サービス・エリア内でないことを判別し、かつ、前記第二の位置情報が現在のセッションにサービスするユーザープレーン機能エンティティーのサービス・エリア内にないことを判別するときに、セッション管理機能エンティティーは、前記端末装置に、現在のセッションのための前記再確立手順を開始するまたは前記ハンドオーバー手順を開始するよう命令する。
【００１１】
第一の側面に基づき、ある可能な実装では、セッション管理機能エンティティーは、前記端末装置の前記第一の位置情報を中心として使って、前記セッション・サービス・エリアの中心位置を決定し、前記セッション・サービス・エリアのサイズを決定する。
【００１２】
第一の側面に基づき、ある可能な実装では、セッション管理機能エンティティーは、次の仕方でセッション・サービス・エリアのサイズを決定する：
セッション管理機能エンティティーによって、現在のセッションにサービスするユーザープレーン機能エンティティーのサービス・エリアに基づきおよび／または前記端末装置の移動性パターンに基づき、セッション・サービス・エリアのサイズを決定する。ここで、移動性パターンは、前記端末装置の移動レンジ、前記端末装置の移動スピードおよび前記端末装置の移動軌跡のうちの少なくとも一つを含む。
【００１３】
第一の側面に基づき、ある可能な実装では、前記セッション・サービス・エリアを決定した後、セッション管理機能エンティティーは、前記セッション・サービス・エリアに基づいて前記端末装置の位置報告粒度を決定し、該位置報告粒度を移動性管理機能エンティティーに送る。位置報告粒度は、移動性管理機能エンティティーが前記端末装置の位置情報をセッション管理機能エンティティーに報告するためのレンジを示すために使われる。
【００１４】
位置報告粒度を使うことは、移動性管理機能エンティティーが前記端末装置の位置情報をセッション管理機能エンティティーに報告するための信号伝達の量を減らす。よって、移動性管理機能エンティティーは、移動性管理機能が端末の位置情報を受信するたびに全セッション管理機能エンティティーに端末装置の位置情報を報告する必要はない。
【００１５】
第一の側面に基づき、ある可能な実装では、セッション管理機能エンティティーは、少なくとも一つの位置報告要件であって、前記少なくとも一つの位置報告要件はエリア情報の少なくとも一つのピースを含み、前記エリア情報の少なくとも一つのピースは端末装置が位置情報を報告する必要があるレンジを示すために使われる、位置報告要件を取得し；前記セッション・サービス・エリアおよび前記エリア情報の少なくとも一つのピースに基づいて前記位置報告粒度を決定する。ここで、前記位置報告粒度は、前記セッション・サービス・エリアおよび前記エリア情報の少なくとも一つのピースの交わりである。
【００１６】
第二の側面によれば、本願のある実施形態は、第一の側面または第一の側面の前記実装のいずれかを実装できる一つまたは複数のモジュールを含む、ユーザープレーン経路再確立を開始するための装置を提供する。各モジュールは一つまたは複数の段階を実行しうる。
【００１７】
第三の側面によれば、本願のある実施形態はさらに、セッション管理機能デバイスを提供する。セッション管理機能デバイスは、プロセッサ、メモリおよび通信インターフェースを含む。通信インターフェースは、情報を受信および送信するよう構成される。メモリは、ソフトウェア・プログラム、受信または送信されるデータ情報などを記憶するよう構成される。プロセッサは：前記ソフトウェア・プログラムおよび前記メモリに記憶されている前記データを読み、第一の側面または第一の側面の前記実装のいずれかにおいて提供される方法を実装するよう構成される。
【００１８】
第四の側面によれば、本願のある実施形態はさらに、コンピュータ記憶媒体を提供する。記憶媒体は、不揮発性であってもよく、具体的には、内容が電力停止後に失われない。記憶媒体はソフトウェア・プログラムを記憶する。ソフトウェア・プログラムは一つまたは複数のプロセッサによって読まれ、実行されて、第一の側面または第一の側面の前記実装のいずれかにおいて提供される方法を実装する。
【００１９】
第五の側面によれば、本願のある実施形態は、命令を含むコンピュータ・プログラム・プロダクトを提供する。前記コンピュータ・プログラム・プロダクトがコンピュータ上で実行されるとき、該コンピュータが第一の側面または第一の側面の前記実装のいずれかにおいて提供される方法を実行する。
【００２０】
第六の側面によれば、本願のある実施形態はさらに、セッション管理機能エンティティーおよび移動性管理機能エンティティーを含む通信システムを提供する。セッション管理機能エンティティーは、端末装置の第一の位置情報に基づいて、前記端末装置の現在のセッションが属するセッション・サービス・エリアを決定し；移動性管理機能エンティティーによって送られた前記端末装置の第二の位置情報を受信した後、前記第二の位置情報が前記セッション・サービス・エリア内でないと判別する場合、前記端末装置に、現在のセッションのための再確立手順を開始するまたはハンドオーバー手順を開始するよう命令するよう構成される。前記ハンドオーバー手順は現在のセッションにサービスするユーザープレーン機能エンティティーから目的ユーザープレーン機能エンティティーに切り換えるために使われ、前記目的ユーザープレーン機能エンティティーは、前記ハンドオーバー手順が完了した後に前記端末装置のセッションにサービスするよう構成される。前記第一の位置情報は、現在のセッションを確立するプロセスにおいてまたは第一のユーザープレーン機能エンティティーから第二のユーザープレーン機能エンティティーへのハンドオーバーのプロセスにおいて、前記セッション管理機能エンティティーによって受信された前記端末装置の位置情報である。前記第一のユーザープレーン機能エンティティーは、前記第二のユーザープレーン機能エンティティーへのハンドオーバー前に前記端末装置のセッションにサービスするよう構成され、前記第二のユーザープレーン機能エンティティーは現在のセッションにサービスするよう構成される。移動性管理機能エンティティーは、前記端末装置の前記第二の位置情報をセッション管理機能エンティティーに送るよう構成される。
【００２１】
第六の側面に基づき、ある可能な実装では、セッション管理機能エンティティーはさらに：前記セッション・サービス・エリアを決定した後、前記セッション・サービス・エリアに基づいて前記端末装置の位置報告粒度を決定し、該位置報告粒度を移動性管理機能エンティティーに送るよう構成される。位置報告粒度は、移動性管理機能エンティティーが前記端末装置の位置情報をセッション管理機能エンティティーに報告するためのレンジを示すために使われる。移動性管理機能エンティティーはさらに、前記端末装置の前記第二の位置情報をセッション管理機能エンティティーに送る前に、前記位置報告粒度を受信し、前記端末装置の前記第二の位置情報が前記位置報告粒度内でないことを判別するよう構成される。
【００２２】
第六の側面において提供される通信システムにおけるセッション管理機能エンティティーは、本願の諸実施形態における第一の側面または第一の側面の前記実装のいずれかにおいて提供される方法を実行してもよいことを注意しておくべきである。
【００２３】
第七の側面によれば、本願のある実施形態は、ユーザープレーン経路再確立を開始するための方法であって：
セッション管理機能エンティティーによって、移動性管理機能エンティティーによって送られた端末装置の第一の位置情報を受信し；前記第一の位置情報が第一のサービス・エリア内でないと判別する場合、前記第一の位置情報に基づいて第一の目的ユーザープレーン機能エンティティーを選択し；現在のセッションのためのユーザープレーン経路再確立手順を開始することを含み、前記第一の目的ユーザープレーン機能エンティティーは、再確立されたユーザープレーン経路を通じて前記端末装置のセッションにサービスし、
前記第一のサービス・エリアは、第一のユーザープレーン機能エンティティーのサービス・エリアであり、前記第一のユーザープレーン機能エンティティーは、前記端末装置の現在のセッションにサービスするよう構成される、
方法を提供する。
【００２４】
第一の目的ユーザープレーン機能エンティティーのサービス・エリアは通例、前記第一の位置情報を含むことを理解しておくべきである。
【００２５】
第一のサービス・エリアから出た後、前記端末装置は、第一の目的ユーザープレーン機能エンティティーへのユーザープレーン経路を再確立することができる。よって、本願におけるユーザープレーン経路再確立を開始するためのそのような機構では、ネットワークは端末装置に、よりよくサービスすることができ、ユーザー経験が改善される。
【００２６】
第七の側面に基づき、ある可能な実装では、移動性管理機能エンティティーによって送られた端末装置の第一の位置情報を受信する前に、セッション管理機能エンティティーは、前記第一のサービス・エリアに基づいて前記端末装置の位置報告粒度を決定し、該位置報告粒度を移動性管理エンティティーに送る。位置報告粒度は、移動性管理機能エンティティーが前記端末装置の位置情報をセッション管理機能エンティティーに報告するためのレンジを示すために使われる。
【００２７】
位置報告粒度を使うことは、移動性管理機能エンティティーが前記端末装置の位置情報をセッション管理機能エンティティーに報告するための信号伝達の量を減らす。よって、移動性管理機能エンティティーは、移動性管理機能が端末の位置情報を受信するたびに全セッション管理機能エンティティーに端末装置の位置情報を報告する必要はない。
【００２８】
第七の側面に基づき、ある可能な実装では、前記端末装置の第二の位置情報に基づいて、現在のセッションが属するセッション・サービス・エリアを決定した後、セッション管理機能エンティティーは、前記第一のサービス・エリアおよび前記セッション・サービス・エリアに基づいて前記端末装置の位置報告粒度を決定する。ここで、位置報告粒度は、前記第一のサービス・エリアおよび前記セッション・サービス・エリアの交わりエリアより大きくない。前記第二の位置情報は、前記端末装置の現在のセッションを確立するプロセスにおいてまたは第二のユーザープレーン機能エンティティーから第三のユーザープレーン機能エンティティーへのハンドオーバーのプロセスにおいて、前記セッション管理機能エンティティーによって受信された前記端末装置の位置情報であり、前記第二のユーザープレーン機能エンティティーは、前記第三のユーザープレーン機能エンティティーへのハンドオーバー前に前記端末装置のセッションにサービスするよう構成され、前記第三のユーザープレーン機能エンティティーは現在のセッションにサービスするよう構成される。
【００２９】
第七の側面に基づき、ある可能な実装では、セッション管理機能エンティティーは、少なくとも一つの位置報告要件であって、前記少なくとも一つの位置報告要件はエリア情報の少なくとも一つのピースを含み、前記エリア情報の少なくとも一つのピースは端末装置が位置情報を報告する必要があるレンジを示すために使われる、位置報告要件を取得し；次いで、前記第一のサービス・エリアおよび前記エリア情報の少なくとも一つのピースに基づいて前記位置報告粒度を決定する。ここで、前記位置報告粒度は、前記第一のサービス・エリアおよび前記エリア情報の少なくとも一つのピースの交わりである。
【００３０】
第七の側面に基づき、ある可能な実装では、セッション管理機能エンティティーが現在のセッションについてユーザープレーン経路再確立を開始した後、セッション管理機能エンティティーは、第一のユーザープレーン機能エンティティーがバッファリングされたデータをもつことを判別する場合、転送トンネルを確立する。ここで、転送トンネルは、第一の目的ユーザープレーン機能エンティティーと第一のユーザープレーン機能エンティティーとの間のトンネルであり、第一のユーザープレーン機能エンティティーは該転送トンネルを通じて、バッファリングされたデータを第一の目的ユーザープレーン機能エンティティーに送る。
【００３１】
第七の側面に基づき、ある可能な実装では、転送トンネルを確立した後、セッション管理機能エンティティーは、第一のユーザープレーン機能エンティティーによって送られ、前記バッファリングされたデータの送信の完了を示すフラグを受信した後、前記転送トンネルを削除する；あるいはセッション管理機能エンティティーは、前記転送トンネルを確立した後に転送タイマーを開始し、該転送タイマーの事前設定された期間が満了した後、前記転送トンネルを削除する。
【００３２】
第八の側面によれば、本願のある実施形態は、第七の側面または第七の側面の前記実装のいずれかを実装できる一つまたは複数のモジュールを含む、ユーザープレーン経路再確立を開始するための装置を提供する。各モジュールは一つまたは複数の段階を実行しうる。
【００３３】
第八の側面によれば、本願のある実施形態はさらに、セッション管理機能デバイスを提供する。セッション管理機能デバイスは、プロセッサ、メモリおよび通信インターフェースを含む。通信インターフェースは、情報を受信および送信するよう構成される。メモリは、ソフトウェア・プログラム、受信または送信されるデータ情報などを記憶するよう構成される。プロセッサは：前記ソフトウェア・プログラムおよび前記メモリに記憶されている前記データを読み、第七の側面または第七の側面の前記実装のいずれかにおいて提供される方法を実装するよう構成される。
【００３４】
第九の側面によれば、本願のある実施形態はさらに、コンピュータ記憶媒体を提供する。記憶媒体は、不揮発性であってもよく、具体的には、内容が電力停止後に失われない。記憶媒体はソフトウェア・プログラムを記憶する。ソフトウェア・プログラムは一つまたは複数のプロセッサによって読まれ、実行されて、第七の側面または第七の側面の前記実装のいずれかにおいて提供される方法を実装する。
【００３５】
第十の側面によれば、本願のある実施形態は、命令を含むコンピュータ・プログラム・プロダクトを提供する。前記コンピュータ・プログラム・プロダクトがコンピュータ上で実行されるとき、該コンピュータが第七の側面または第七の側面の前記実装のいずれかにおいて提供される方法を実行する。
【００３６】
第十一の側面によれば、セッション管理機能エンティティーおよび移動性管理機能エンティティーを含む通信システムが提供される。ここで、移動性管理機能エンティティーは、端末装置の第一の位置情報をセッション管理機能エンティティーに送信するよう構成され；
セッション管理機能エンティティーは：移動性管理機能エンティティーによって送られた端末装置の第一の位置情報を受信した後、前記第一の位置情報が第一のサービス・エリア内でないと判別する場合、前記第一の位置情報に基づいて第一の目的ユーザープレーン機能エンティティーを選択し、現在のセッションのためのユーザープレーン経路再確立手順を開始するよう構成され、
前記第一のサービス・エリアは、第一のユーザープレーン機能エンティティーのサービス・エリアであり、前記第一のユーザープレーン機能エンティティーは、前記端末装置の現在のセッションにサービスするよう構成され、第一の目的ユーザープレーン機能エンティティーは、再確立されたユーザープレーン経路を通じて前記端末装置のセッションにサービスする。
【００３７】
第十一の側面に基づき、ある可能な実装では、セッション管理機能エンティティーはさらに：前記第一のサービス・エリアに基づいて前記端末装置の位置報告粒度を決定し、該位置報告粒度を移動性管理エンティティーに送るよう構成される。位置報告粒度は、移動性管理機能エンティティーが前記端末装置の位置情報をセッション管理機能エンティティーに報告するためのレンジを示すために使われる；移動性管理機能エンティティーはさらに：前記端末装置の前記第一の位置情報をセッション管理機能エンティティーに送る前に、前記位置報告粒度を受信し、前記端末装置の前記第一の位置情報が前記位置報告粒度内でないことを判別するよう構成される。
【００３８】
第十一の側面において提供される通信システムにおけるセッション管理機能エンティティーは、本願の前記実施形態における第七の側面または第七の側面の前記実装のいずれかにおいて提供される方法を実行してもよいことを注意しておくべきである。
【００３９】
第十二の側面によれば、位置情報報告方法であって：
移動性管理機能エンティティーによって、端末装置の現在のセッションについての位置報告粒度を受信し；前記端末装置の前記位置情報が前記位置報告粒度内でないことを判別するときは、前記端末装置の位置情報をセッション管理機能エンティティーに送信する；あるいは前記端末装置の前記位置情報が前記位置報告粒度内であることを判別するときは、前記端末装置の位置情報をセッション管理機能エンティティーに送信しないことを決定することを含む、
方法が提供される。
【００４０】
位置報告粒度を使うことは、移動性管理機能エンティティーが前記端末装置の位置情報をセッション管理機能エンティティーに報告するための信号伝達の量を減らす。よって、移動性管理機能エンティティーは、移動性管理機能が端末の位置情報を受信するたびに全セッション管理機能エンティティーに端末装置の位置情報を報告する必要はない。
【００４１】
第十三の側面によれば、本願のある実施形態は、第十二の側面または第十二の側面の前記実装のいずれかを実装できる一つまたは複数のモジュールを含む、位置情報報告装置を提供する。各モジュールは一つまたは複数の段階を実行しうる。
【００４２】
第十四の側面によれば、本願のある実施形態はさらに、移動性管理機能デバイスを提供する。移動性管理機能デバイスは、プロセッサ、メモリおよび通信インターフェースを含む。通信インターフェースは、情報を受信および送信するよう構成される。メモリは、ソフトウェア・プログラム、受信または送信されるデータ情報などを記憶するよう構成される。プロセッサは：前記ソフトウェア・プログラムおよび前記メモリに記憶されている前記データを読み、第十二の側面または第十二の側面の前記実装のいずれかにおいて提供される方法を実装するよう構成される。
【００４３】
第十五の側面によれば、本願のある実施形態はさらに、コンピュータ記憶媒体を提供する。記憶媒体は、不揮発性であってもよく、具体的には、内容が電力停止後に失われない。記憶媒体はソフトウェア・プログラムを記憶する。ソフトウェア・プログラムは一つまたは複数のプロセッサによって読まれ、実行されて、第十二の側面または第十二の側面の前記実装のいずれかにおいて提供される方法を実装する。
【００４４】
第六の側面によれば、本願のある実施形態はさらに、命令を含むコンピュータ・プログラム・プロダクトを提供する。前記コンピュータ・プログラム・プロダクトがコンピュータ上で実行されるとき、該コンピュータが上記の諸側面における方法を実行する。
【図面の簡単な説明】
【００４５】
【図１】図１は本願のある実施形態に基づく通信システムの概略図である。
【００４６】
【図２】図２ａおよび図２ｂはそれぞれ、本願のある実施形態に基づく、ユーザープレーン経路再確立を開始する手順の概略図である。
【００４７】
【図３】図３ａおよび図３ｂはそれぞれ、本願のある実施形態に基づく、セッション・サービス・エリアと、現在のセッションにサービスしているユーザープレーン機能エンティティーのサービス・エリアとの間の関係の概略図である。
【００４８】
【図４】図４ａおよび図４ｂはそれぞれ、本願のある実施形態に基づく、ユーザープレーン経路再確立を開始する方法の概略的なフローチャートである。
【００４９】
【図５】図５は、本願のある実施形態の有益な効果を示す概略図である。
【００５０】
【図６】図６は、本願のある実施形態に基づく、ユーザープレーン経路を再確立する方法の概略的なフローチャートである。
【００５１】
【図７】図７は、本願のある実施形態に基づく通信システムの具体的な概略図である。
【００５２】
【図８】図８は、本願のある実施形態に基づく、PDUセッションを初期に確立するまたはPDUセッションを再確立するプロセスの概略図である。
【００５３】
【図９】図９は、本願のある実施形態に基づく、Xnハンドオーバー手順におけるユーザープレーン経路切り換え方法の概略図である。
【００５４】
【図１０】図１０は、本願のある実施形態に基づく、登録手順におけるユーザープレーン経路切り換え手順の概略図である。
【００５５】
【図１１】図１１ａおよび図１１ｂは、本願のある実施形態に基づく、端末装置のサービス要求の際のユーザープレーン経路切り換え手順の概略図である。
【００５６】
【図１２】図１２は、本願のある実施形態に基づく、PDUセッション再確立手順の概略図である。
【００５７】
【図１３ａ】図１３ａは、本願のある実施形態に基づく、ユーザープレーン経路再確立を開始するための装置の概略的な構造図である。
【００５８】
【図１３ｂ】図１３ｂは、本願のある実施形態に基づく、セッション管理機能デバイスのハードウェア構造の概略図である。
【００５９】
【図１４ａ】図１４ａは、本願のある実施形態に基づく、ユーザープレーン経路再確立を開始するための装置の概略的な構造図である。
【００６０】
【図１４ｂ】図１４ｂは、本願のある実施形態に基づく、セッション管理機能デバイスのハードウェア構造の概略図である。
【発明を実施するための形態】
【００６１】
下記は、付属の図面を参照しつつ、本願を詳細にさらに記述する。
【００６２】
本願の諸実施形態におけるセッション管理機能エンティティー、移動性管理機能エンティティー、ユーザープレーン機能エンティティーなどは単に名称であり、こうした名称はデバイスに対する何の限定もなさないことを注意しておくべきである。将来の5Gネットワークおよび他の将来のネットワークにおいて、セッション管理機能エンティティー、移動性管理機能エンティティーおよびユーザープレーン機能エンティティーに対応するネットワーク要素またはエンティティーは他の名称をもつことがありうる。これは、本願の実施形態において特に限定されない。たとえば、セッション管理機能エンティティーはセッション管理機能（Session  Management  Function、SMF）であってもよく、移動性管理機能エンティティーはコア・アクセスおよび移動性管理機能（Core  Access  and  Mobility  Management  Function、AMF）であってもよく、ユーザープレーン機能エンティティーはユーザープレーン機能（User  Plane  Function、UPF）であってもよい、などである。ここではまとめた記述がなされ、さらなる詳細は下記では記述されない。
【００６３】
加えて、本願の諸実施形態におけるセッション管理機能エンティティー、移動性管理機能エンティティー、ユーザープレーン機能エンティティーなどは、本願の諸実施形態における機能のほかに他の機能をも有していてもよい。これは、本願の諸実施形態において特に限定されない。たとえば、移動性管理機能エンティティーは、端末装置の位置情報をセッション管理機能エンティティーに送る機能のほかに他の機能をも有していてもよい。これは、本願の諸実施形態において特に限定されない。
【００６４】
本願の諸実施形態におけるセッション管理機能エンティティー、移動性管理機能エンティティー、ユーザープレーン機能エンティティーなどは一つの物理的デバイスによって実装されてもよく、あるいは複数の物理的デバイスによって合同して実装されてもよいことを注意しておくべきである。これは、本願の諸実施形態において特に限定されない。換言すれば、本願の諸実施形態におけるセッション管理機能エンティティー、移動性管理機能エンティティー、ユーザープレーン機能エンティティーなどの各々は、ある物理的デバイスにおける論理的な機能モジュールであってもよく、あるいは複数の物理的デバイスを含む論理的な機能モジュールであってもよいということを理解しておくべきである。これは、本願の諸実施形態において特に限定されない。
【００６５】
本願の諸実施形態におけるユーザープレーン経路再確立を開始するための方法が、図１に示される通信システム１００に適用されてもよい。通信システム１００は、セッション管理機能エンティティー１１０および移動性管理機能エンティティー１２０を含む。本願の諸実施形態において、それについてユーザープレーン経路再確立が開始されるところのセッションは、パケット・データ単位（Packet  Data  Unit、PDU）セッションまたは公共データ・ネットワーク（Public  Data  Network、PDN）セッションまたは他のセッションでありうることを理解しておくべきである。これは本願において限定されない。
【００６６】
図１に示した通信システム１００におけるセッション管理機能エンティティー１１０および移動性管理機能エンティティー１２０の情報処理および情報交換プロセスについては、本願の下記の諸実施形態において提供されるユーザープレーン経路再確立を開始する方法を参照されたい。
【００６７】
下記は、PDUセッションを例として使って、本願の諸実施形態におけるユーザープレーン経路再確立を開始する方法を詳細に記述する。PDNセッションまたは他のセッションについては、ユーザープレーン経路再確立を開始する方法はPDUセッションについてのものと同様であり、本稿で詳細を述べることはしない。
【００６８】
図２ａに示されるように、本願のある実施形態は、下記の諸段階を含む、ユーザープレーン経路再確立を開始する方法を提供する。
【００６９】
段階２００ａ：セッション管理機能エンティティー１１０が、端末装置の第一の位置情報に基づいて、前記端末装置の現在のセッションが属するセッション・サービス・エリアを決定する。
【００７０】
前記第一の位置情報は、現在のセッションを確立するプロセスにおいてまたは第一のユーザープレーン機能エンティティーから第二のユーザープレーン機能エンティティーへのハンドオーバーのプロセスにおいて、セッション管理機能エンティティー１１０によって受信された前記端末装置の位置情報である。前記第一のユーザープレーン機能エンティティーは、前記第二のユーザープレーン機能エンティティーへのハンドオーバー前に前記端末装置のセッションにサービスするよう構成される。前記第二のユーザープレーン機能エンティティーは現在のセッションにサービスするよう構成される。
【００７１】
具体的には、本願のこの実施形態において現在のセッションを確立するプロセスは、現在のセッションを初期に確立するプロセスおよびセッションを現在のセッションに再確立するプロセスを含む。
【００７２】
たとえば、前記第一の位置情報は、現在のセッションを初期に確立するためのセッション管理機能エンティティーに送られる要求メッセージにおいて担持されてもよく、あるいは特に前記第一の位置情報を送るためのメッセージにおいて担持されてもよく、あるいはセッションを現在のセッションに再確立するプロセスにおける要求メッセージにおいて担持されてもよく、あるいは経路切り換え要求メッセージにおいて担持されてもよい。これは本願のこの実施形態において限定されない。
【００７３】
段階２１０ａ：移動性管理機能エンティティー１２０が前記端末装置の第二の位置情報をセッション管理機能エンティティー１１０に送り、セッション管理機能エンティティー１１０が移動性管理機能エンティティー１２０によって送られた前記端末装置の前記第二の位置情報を受信する。
【００７４】
段階２２０ａ：移動性管理機能エンティティー１２０によって送られた前記端末装置の第二の位置情報を受信した後、前記第二の位置情報が前記セッション・サービス・エリア内でないと判別する場合、セッション管理機能エンティティー１１０は、前記端末装置に、現在のセッションのための再確立手順を開始するよう命令する。
【００７５】
ある可能な具体的実装では、セッション管理機能エンティティー１１０が前記第二の位置情報が前記セッション・サービス・エリア内であると判別する場合には、この手順は終了し、セッション管理機能エンティティー１１０はもはや、前記端末装置に、現在のセッションのための再確立手順を開始するよう命令しない。
【００７６】
具体的には、PDUセッションの場合、セッション・サービス・エリアはパケット・データ単位セッション・サービス・エリア（PDU  Session  Service  Area、PSSA）と称されることもある。セッション・サービス・エリアは論理的な概念である。セッション管理機能エンティティー１１０は、セッション・サービス・エリアを次の仕方で決定してもよい：
セッション管理機能エンティティー１１０によって、前記端末装置の前記第一の位置情報を中心として使って、前記セッション・サービス・エリアの中心位置を決定し、次いで、前記セッション・サービス・エリアのサイズを決定する。
【００７７】
たとえば、セッション・サービス・エリアのサイズは事前に構成設定されたポリシーに従って決定されてもよい。たとえば、セッション・サービス・エリアに含まれるセルの数、セッション・サービス・エリアに含まれる追跡エリア（Tracking  Area、TA）の数などが事前に構成設定される。
【００７８】
加えて、セッション管理機能エンティティー１１０は代替的に、セッション・サービス・エリアのサイズを次の仕方で決定してもよい：
セッション管理機能エンティティー１１０によって、現在のセッションにサービスするユーザープレーン機能エンティティーのサービス・エリアに基づきおよび／または前記端末装置の移動性パターンに基づき、セッション・サービス・エリアのサイズを決定する。ここで、移動性パターンは、前記端末装置の移動レンジ、前記端末装置の移動スピードおよび前記端末装置の移動軌跡のうちの少なくとも一つを含む。
【００７９】
PDUセッションが例として使われる。現在のセッションにサービスするユーザープレーン機能エンティティーは、現在のセッションにサービスするアンカーUPFであってもよい。たとえば、低頻度で動き、現在のセッションにサービスするアンカーUPFのサービス・エリアの境界に近くない端末装置については、セッション・サービス・エリアは現在のセッションにサービスするアンカーUPFのサービス・エリアとして定義されてもよい。低頻度で動き、現在のセッションにサービスするアンカーUPFのサービス・エリアの境界に近い端末装置については、より小さなセッション・サービス・エリアが定義されてもよい。それにより、ユーザープレーン経路切り換えが、端末装置の位置が比較的安定である後、早期に実行されることができる。端末装置の移動性パターンは具体的には、端末装置の申し込み情報または履歴移動軌跡に基づいて決定されてもよい。
【００８０】
加えて、セッション・サービス・エリアを定義するとき、セッション管理機能エンティティーは、端末装置のセッションによりよくサービスするために、他の因子も考慮に入れてもよい。
【００８１】
セッション・サービス・エリアを決定するための上記の仕方から、セッション管理機能エンティティーは、異なる状況ではセッション・サービス・エリアについての異なるサイズを決定することがわかる。セッション管理機能エンティティーによって決定されるセッション・サービス・エリアは、図３ａに示されるような、現在のセッションにサービスするユーザープレーン機能エンティティーのサービス・エリアを含んでいてもよく、あるいは、図３ｂに示されるように、現在のセッションにサービスするユーザープレーン機能エンティティーのサービス・エリアの一部のみを含んでいてもよい。
【００８２】
セッション・サービス・エリアが現在のセッションにサービスするユーザープレーン機能エンティティーのサービス・エリアの一部のみを含むとき、段階２２０ａにおいて、第二の位置情報がセッション・サービス・エリア内であるかどうかを判定する段階に加えて、第二の位置情報が現在のセッションにサービスしているユーザープレーン機能エンティティーのサービス・エリア内であるかどうかを判定する段階が追加される必要がある。具体的には、第二の位置情報がセッション・サービス・エリア内でも、現在のセッションにサービスしているユーザープレーン機能エンティティーのサービス・エリア内でもないと判定するときに、セッション管理機能エンティティー１１０は端末装置に、現在のセッションのための再確立機能を開始するよう命令する。他の場合には、この手順は終了する。
【００８３】
図２ｂは、本願のある実施形態において提供される、ユーザープレーン経路再確立を開始するためのもう一つの方法を示している。図２ａに示されるユーザープレーン経路再確立を開始するための方法に基づき、端末装置の位置報告粒度の概念が導入される。具体的には、ユーザープレーン経路再確立を開始する方法は、以下の諸段階を含む。
【００８４】
段階２００ａ：セッション管理機能エンティティー１１０が、端末装置の第一の位置情報に基づいて、前記端末装置の現在のセッションが属するセッション・サービス・エリアを決定する。
【００８５】
前記第一の位置情報は、現在のセッションを確立するプロセスにおいてまたは第一のユーザープレーン機能エンティティーから第二のユーザープレーン機能エンティティーへのハンドオーバーのプロセスにおいて、セッション管理機能エンティティー１１０によって受信された前記端末装置の位置情報である。前記第一のユーザープレーン機能エンティティーは、前記第二のユーザープレーン機能エンティティーへのハンドオーバー前に前記端末装置のセッションにサービスするよう構成される。前記第二のユーザープレーン機能エンティティーは現在のセッションにサービスするよう構成される。
【００８６】
具体的には、本願のこの実施形態において現在のセッションを確立するプロセスは、現在のセッションを初期に確立するプロセスおよびセッションを現在のセッションに再確立するプロセスを含む。
【００８７】
段階２００ｂ：セッション管理機能エンティティー１１０が、前記セッション・サービス・エリアに基づいて前記端末装置の位置報告粒度を決定する。位置報告粒度は、移動性管理機能エンティティー１２０が前記端末装置の位置情報をセッション管理機能エンティティー１１０に報告するためのレンジを示すために使われる。
【００８８】
段階２００ｃ：セッション管理機能エンティティー１１０が、位置報告粒度を移動性管理機能エンティティー１２０に送り、移動性管理機能エンティティー１２０が該位置報告粒度を受信する。
【００８９】
段階２００ｄ：移動性管理機能エンティティー１２０は、端末装置の第二の位置情報が位置報告粒度内でないことを判別する場合に、段階２１０ａを実行する。
【００９０】
ある可能な具体的実装では、移動性管理機能エンティティー１２０が、端末装置の第二の位置情報が位置報告粒度内であることを判別する場合には、この手順は終了し、移動性管理機能エンティティー１２０はもはや端末装置の第二の位置情報をセッション管理機能エンティティー１１０に送らない。
【００９１】
段階２１０ａ：移動性管理機能エンティティー１２０が端末装置の第二の位置情報をセッション管理機能エンティティー１１０に送る。
【００９２】
段階２２０ａ：移動性管理機能エンティティー１２０によって送られた前記端末装置の第二の位置情報を受信した後、前記第二の位置情報が前記セッション・サービス・エリア内でないと判別する場合、セッション管理機能エンティティー１１０は、前記端末装置に、現在のセッションのための再確立手順を開始するよう命令する。
【００９３】
ある可能な具体的実装では、セッション管理機能エンティティー１１０が前記第二の位置情報が前記セッション・サービス・エリア内であると判別する場合には、この手順は終了し、セッション管理機能エンティティー１１０はもはや、前記端末装置に、現在のセッションのための再確立手順を開始するよう命令しない。
【００９４】
図２ｂに示されるユーザープレーン経路再確立を開始する方法によれば、位置報告粒度を使うことが、移動性管理機能エンティティーが前記端末装置の位置情報をセッション管理機能エンティティーに報告するための信号伝達の量を減らす。よって、移動性管理機能エンティティーは、移動性管理機能が端末の位置情報を受信するたびに全セッション管理機能エンティティーに端末装置の位置情報を報告する必要はない。
【００９５】
下記は、図２ａおよび図２ｂにおけるユーザープレーン経路再確立を開始する方法における種々の段階を具体的に記述する。図２ａおよび図２ｂにおける同一の段階、たとえばセッション・サービス・エリアを決定する仕方および現在のセッションのための再確立手順を開始するための具体的実装の説明について、また段階２００ａ、段階２１０ａおよび段階２２０ａの説明については、図２ａに示されるユーザープレーン経路再確立を開始する方法の実装を参照されたい。ここで再び詳細を述べることはしない。
【００９６】
具体的には、段階２００ｂにおいて、セッション管理機能エンティティー１１０は、以下の仕方で、セッション・サービス・エリアに基づいて端末装置の位置報告粒度を決定しうる。
【００９７】
位置報告粒度を決定するための第一の仕方では、セッション管理機能エンティティーは、少なくとも一つの位置報告要件であって、前記少なくとも一つの位置報告要件はエリア情報の少なくとも一つのピースを含み、前記エリア情報の少なくとも一つのピースは端末装置が位置情報を報告する必要があるレンジを示すために使われる、位置報告要件を取得し；次いで、セッション管理機能エンティティーは、前記セッション・サービス・エリアおよび前記エリア情報の少なくとも一つのピースに基づいて前記位置報告粒度を決定する。ここで、前記位置報告粒度は、前記セッション・サービス・エリアおよび前記エリア情報の少なくとも一つのピースの交わりである。
【００９８】
PDUセッションが例として使われる。PDUセッションのための位置報告粒度を定義するとき、セッション管理機能エンティティーはさらに、他の位置報告要件を考慮する必要があることがある。たとえば、課金要件も、移動性管理機能エンティティーが端末装置の位置情報を報告することを要求する。一般に、セッション管理機能エンティティーは、PDUセッションのための位置報告粒度として、これらの要件の最も細かい報告粒度を選択する。たとえば、課金要件が、PDUセッションが追跡エリアID（Tracking  Area  Identity、TAI）によって課金されることを要求するときは、課金要件のエリア情報は一つのTAIである。セッション・サービス・エリアがTAIの一つのグループである場合には、セッション管理機能エンティティーによって定義される位置報告粒度は、セッション・サービス・エリアのTAIの一つのグループではなく、一つのTAIである。
【００９９】
セッション管理機能エンティティーは、端末装置についての少なくとも一つの位置報告要件を、他のネットワーク要素デバイスのうちの少なくとも一つから得てもよく、あるいは、セッション管理機能エンティティーは、少なくとも一つの位置報告要件を、該セッション管理機能エンティティーの要件に基づいてローカルに生成してもよい。前記他のネットワーク要素デバイスは、セッション管理機能エンティティーが位置しているネットワーク要素デバイスとは異なるデバイスである。
【０１００】
位置報告粒度を決定するための第二の仕方では、位置報告要件が得られないことを判別する場合、セッション管理機能エンティティーは、位置報告粒度をセッション・サービス・エリアだけに基づいて決定する。
【０１０１】
端末装置の位置がセッション・サービス・エリア内であることを保証するために、位置報告粒度は、通例、セッション・サービス・エリアのレンジより大きくない。位置報告粒度とセッション・サービス・エリアのサイズとの間の具体的な関係は、事前設定されたポリシーに従って決定されうる。
【０１０２】
図４ａに示されるように、本願のある実施形態は、ユーザープレーン経路再確立を開始するためのもう一つの方法を提供する。図２ａに示されるユーザープレーン経路再確立を開始する方法における段階２２０ａは、図４ａに示されるユーザープレーン経路再確立を開始する方法においては、段階４００によって置き換えられ、図４ａにおける他の段階は図２ａにおける他の段階と同じである。よって、図４ａに示されるユーザープレーン経路再確立を開始する方法の具体的実装については、図２ａに示されるユーザープレーン経路再確立を開始する方法の具体的実装を参照されたい。ここで再び詳細を述べることはしない。
【０１０３】
図４ｂに示されるように、本願のある実施形態は、ユーザープレーン経路再確立を開始するための方法をさらに提供する。図２ｂに示されるユーザープレーン経路再確立を開始する方法における段階２２０ａは、図４ｂに示されるユーザープレーン経路再確立を開始する方法においては、段階４００によって置き換えられ、図４ｂにおける他の段階は図２ｂにおける他の段階と同じである。よって、図４ｂに示されるユーザープレーン経路再確立を開始する方法の具体的実装については、図２ｂに示されるユーザープレーン経路再確立を開始する方法の具体的実装を参照されたい。ここで再び詳細を述べることはしない。
【０１０４】
具体的には、段階４００において、第二の位置情報がセッション・サービス・エリア内でないと判別する場合、セッション管理機能エンティティー１１０はハンドオーバー手順を開始する。ハンドオーバー手順は、現在のセッションにサービスしているユーザープレーン機能エンティティーから目的ユーザープレーン機能エンティティーに切り換えるために使われ、目的ユーザープレーン機能エンティティーは、ハンドオーバー手順が完了した後に端末装置のセッションにサービスするよう構成される。
【０１０５】
図４ａおよび図４ｂに示されるユーザープレーン経路再確立を開始する方法における段階２００ａにおいて、第一の位置情報が第一のユーザープレーン機能エンティティーから第二のユーザープレーン機能エンティティーへのハンドオーバーのプロセスにおいて受信された前記端末装置の位置情報であるときは、段階４００においてセッション管理機能エンティティー１１０によって開始されるハンドオーバー手順において現在のセッションにサービスするユーザープレーン機能エンティティーは第二のユーザープレーン機能エンティティーである。第一の位置情報が現在のセッションを確立するプロセスにおいて受信された端末装置の位置情報であるときは、段階４００においてセッション管理機能エンティティー１１０によって開始されたハンドオーバー手順において現在のセッションにサービスするユーザープレーン機能エンティティーが、現在のセッションが確立された後に現在のセッションにサービスするユーザープレーン機能エンティティーである。
【０１０６】
本願の諸実施形態における図２ａ、図２ｂ、図４ａおよび図４ｂに示されるユーザープレーン経路再確立を開始する手順では、PDUセッションの場合、ユーザープレーン機能エンティティーはPDUセッション・アンカーUPFであってもよいことをさらに注意しておくべきである。具体的には、本願の諸実施形態における図２ａ、図２ｂ、図４ａおよび図４ｂに示されるユーザープレーン経路再確立を開始する手順における第一のユーザープレーン機能エンティティー、第二のユーザープレーン機能エンティティー、目的ユーザープレーン機能エンティティー、現在のセッションにサービスするユーザープレーン機能エンティティーなどは、異なるPDUセッション・アンカーUPFである。
【０１０７】
PDUセッションが例として使われる。ユーザープレーン機能エンティティーがPDUセッション・アンカーUPFであるとき、本願の諸実施形態におけるセッション・サービス・エリアの導入のため、端末装置が図５に示されるようにエリア１とエリア２の端において行ったり来たりするとき、二つのアンカーUPFの間での頻繁なハンドオーバーによって引き起こされるピンポン効果が回避される。エリア１は一つのアンカーUPFのサービス・エリアであり、エリア２は別のアンカーUPFのサービス・エリアである。
【０１０８】
図６に示されるように、本願のある実施形態は、以下の段階を含む、ユーザープレーン経路を再確立するもう一つの方法をさらに提供する。
【０１０９】
段階６００：移動性管理機能エンティティー１２０が、端末装置の第一の位置情報をセッション管理機能エンティティーに送り、セッション管理機能エンティティー１１０が移動性管理機能エンティティー１２０によって送られた端末装置の第一の位置情報を受信する。
【０１１０】
段階６１０：移動性管理機能エンティティー１２０によって送られた端末装置の第一の位置情報を受信した後、セッション管理機能エンティティー１１０は、前記第一の位置情報が第一のサービス・エリア内でないと判別する場合、段階６２０を実行する。ここで、前記第一のサービス・エリアは、第一のユーザープレーン機能エンティティーのサービス・エリアであり、前記第一のユーザープレーン機能エンティティーは、前記端末装置の現在のセッションにサービスするよう構成される。
【０１１１】
ある可能な実装では、セッション管理機能エンティティー１１０が前記第一の位置情報が第一のサービス・エリア内であると判別する場合、この手順は終了する。換言すれば、セッション管理機能エンティティー１１０はもはや段階６２０およびその後の段階を実行しない。
【０１１２】
段階６２０：セッション管理機能エンティティー１１０が、前記第一の位置情報に基づいて第一の目的ユーザープレーン機能エンティティーを選択する。ここで、第一の目的ユーザープレーン機能エンティティーは、再確立されたユーザープレーン経路を通じて前記端末装置のセッションにサービスする。
【０１１３】
段階６３０：セッション管理機能エンティティー１１０が現在のセッションのためのユーザープレーン経路再確立手順を開始する。
【０１１４】
段階６４０：セッション管理機能エンティティー１１０は、第一のユーザープレーン機能エンティティーがバッファリングされたデータをもつことを判別した後、転送トンネルを確立する。ここで、転送トンネルは、第一の目的ユーザープレーン機能エンティティーと第一のユーザープレーン機能エンティティーとの間のトンネルであり、第一のユーザープレーン機能エンティティーは該転送トンネルを通じて、バッファリングされたデータを第一の目的ユーザープレーン機能エンティティーに送る。
【０１１５】
段階６５０：セッション管理機能エンティティー１１０は、前記バッファリングされたデータの送信の完了を示す、第一のユーザープレーン機能エンティティーによって送られたフラグを受信した後、前記転送トンネルを削除する；あるいはセッション管理機能エンティティー１１０は、前記転送トンネルを確立した後に転送タイマーを開始し、該転送タイマーの事前設定された期間が満了した後、前記転送トンネルを削除する。
【０１１６】
図６に示されるユーザープレーン経路再確立を開始する方法における段階６４０および６５０は必須でないことを注意しておくべきである。具体的には、図６に示されるユーザープレーン経路再確立を開始する方法において、段階６００ないし段階６３０だけが実行されてもよく、あるいは段階６００ないし段階６４０だけが実行されてもよく、あるいは段階６００ないし段階６５０だけが実行されてもよい。どの段階を実行するかは、実際の要件に基づいて決定されうる。たとえば、第一のユーザープレーン機能エンティティーがバッファリングされたデータをもたないときは、段階６００ないし段階６３０だけが実行されてもよい。
【０１１７】
本願の諸実施形態における図６に示されるユーザープレーン経路再確立を開始する方法において、第一の目的ユーザープレーン機能エンティティーを選択して現在のセッションのためのユーザープレーン経路再確立を開始するかどうかを決定するために、端末装置の位置情報が、端末装置の現在のセッションにサービスするユーザープレーン機能エンティティーのサービス・エリア内であるかどうかが判定されていることを理解しておくべきである。よって、セッション管理機能エンティティーが複数の端末装置の現在のセッションにサービスするとき、およびそれらの端末装置のいくつかがその現在のセッションにサービスする対応するユーザープレーン機能エンティティーから出るときは、セッション管理機能エンティティーは、これらの端末装置の現在のセッションについてのユーザープレーン経路再確立手順を開始し、前記複数の端末装置の現在のセッションのうち他の端末装置の現在のセッションについてのユーザープレーン経路再確立手順を考える必要はない。
【０１１８】
たとえば、本願の諸実施形態における図６に示されるユーザープレーン経路再確立を開始する方法に基づき、移動性管理機能エンティティーが報告する必要のあるメッセージの量を減らすために、位置報告粒度がさらに加えられてもよい。
【０１１９】
具体的には、段階６００の前に、セッション管理機能エンティティー１１０は、前記第一のサービス・エリアに基づいて前記端末装置の位置報告粒度を決定し、該位置報告粒度を移動性管理機能エンティティー１２０に送る。位置報告粒度は、前記端末装置の位置情報のレンジをセッション管理機能エンティティー１１０に報告するよう移動性管理機能エンティティー１２０に命令するために使われる。前記端末装置の前記第一の位置情報をセッション管理機能エンティティー１１０に送る前に、移動性管理機能エンティティー１２０は、前記端末装置の前記第一の位置情報が前記端末装置の位置報告粒度内であるかどうかを判定する。移動性管理機能エンティティー１２０が前記第一の位置情報が前記端末装置の位置報告粒度内であると判定する場合、この手順は終了する。移動性管理機能エンティティー１２０が前記端末装置の前記第一の位置情報が前記位置報告粒度内でないと判定する場合、移動性管理機能エンティティー１２０は段階６００を実行する。
【０１２０】
本願の諸実施形態における図６に示されるユーザープレーン経路再確立を開始する方法において、位置報告粒度を決定するための三つの具体的実装が提供される。
【０１２１】
位置報告粒度を決定するための第一の具体的実装では、セッション管理機能エンティティーは、第一のサービス・エリアのみに基づいて端末装置の位置報告粒度を決定してもよい。たとえば、位置報告粒度は、前記第一のサービス・エリアまたは前記第一のサービス・エリアの倍数、たとえば前記第一のサービス・エリアの0.5倍に設定される。具体的な倍数は、端末の移動性パターン、たとえば移動スピードおよび移動レンジに基づいて対応して設定されてもよく、あるいは事前構成設定されていてもよい。これは本願では限定されない。一般に、位置報告粒度は前記第一のサービス・エリアより大きくない。
【０１２２】
位置報告粒度を決定するための第二の具体的実装では、セッション管理機能エンティティーは、前記端末装置の第二の位置情報に基づいて、現在のセッションが属するセッション・サービス・エリアを決定する。前記第二の位置情報は、前記端末装置の現在のセッションを確立するプロセスにおいてまたは第二のユーザープレーン機能エンティティーから第三のユーザープレーン機能エンティティーへのハンドオーバーのプロセスにおいて、前記セッション管理機能エンティティーによって受信された前記端末装置の位置情報であり、前記第二のユーザープレーン機能エンティティーは、前記第三のユーザープレーン機能エンティティーへのハンドオーバー前に前記端末装置のセッションにサービスするよう構成され、前記第三のユーザープレーン機能エンティティーは現在のセッションにサービスするよう構成される。次いで、セッション管理機能エンティティーは、前記第一のサービス・エリアおよび前記セッション・サービス・エリアに基づいて前記端末装置の位置報告粒度を決定する。ここで、位置報告粒度は、前記第一のサービス・エリアおよび前記セッション・サービス・エリアの交わりエリアより大きくない。
【０１２３】
PDUセッションの場合、第一のユーザープレーン機能エンティティーはN3  UPFであってもよく、第二のユーザープレーン機能エンティティーおよび第三のユーザープレーン機能エンティティーはアンカーUPFであってもよいことを注意しておくべきである。PDUセッションの場合、PDUセッションがSSCモード１であるときは、アンカーUPFは不変のままである。よって、位置報告粒度を決定するためのこの仕方はSSCモード２またはSSCモード３におけるPDUセッションに適用可能である。
【０１２４】
位置報告粒度を決定するための第三の具体的実装では、セッション管理機能エンティティーは、少なくとも一つの位置報告要件を取得する。前記少なくとも一つの位置報告要件はエリア情報の少なくとも一つのピースを含み、前記エリア情報の少なくとも一つのピースは、端末装置が位置情報を報告する必要があるレンジを示すために使われる。次いで、セッション管理機能エンティティーは、前記第一のサービス・エリアおよび前記エリア情報の少なくとも一つのピースに基づいて前記位置報告粒度を決定する。ここで、前記位置報告粒度は、前記第一のサービス・エリアおよび前記エリア情報の少なくとも一つのピースの交わりである。
【０１２５】
具体的には、セッション管理機能エンティティーは、少なくとも一つの位置報告要件を、他のネットワーク要素デバイスから得てもよく、あるいは、少なくとも一つの位置報告要件を、該セッション管理機能エンティティーの要求に基づいて生成してもよい。たとえば、課金要件も、移動性管理機能エンティティーが端末装置の位置情報を報告することを要求する。一般に、セッション管理機能エンティティーは、PDUセッションのための位置報告粒度として、これらの要件のうち最も細かい報告粒度を選択する。
【０１２６】
本願の諸実施形態における図６に示されるユーザープレーン経路再確立を開始する方法において、位置報告粒度を決定するための第二の具体的実装および位置報告粒度を決定するための第三の具体的実装が、位置報告粒度を決定するために組み合わされてもよい。具体的には、位置報告粒度は、第一のサービス・エリア、セッション・サービス・エリアおよびエリア情報の少なくとも一つのピースに基づいて決定される。この場合、位置報告粒度は、前記第一のサービス・エリアと、前記セッション・サービス・エリアと、前記エリア情報の少なくとも一つのピースとの交わりより大きくない。
【０１２７】
本願の諸実施形態における図６に示されるユーザープレーン経路再確立を開始する方法において、セッション・サービス・エリアを決定する仕方については、本願の諸実施形態における図２ａに示したユーザープレーン経路再確立を開始する方法における、セッション・サービス・エリアを決定する仕方が参照されうる。ここで再び詳細を述べることはしない。
【０１２８】
図７は、通信システムを示している。図７に示される通信システムは、図１に示される通信システムの具体的な実装形式である。
【０１２９】
図７に示される通信システムは、AMF、SMF、UPF、ポリシー制御機能（Policy  Control  function、PCF）、UDM、認証サーバー機能（Authentication  Server  Function、AUSF）および無線アクセス・ネットワーク（Radio  Access  Network、RAN）を含む。RANはANまたはデータ・ネットワーク（Data  Network、DN）とも称される。図７に示される通信システムにおけるN3  UPFおよびアンカーUPFは、異なる論理的な機能モジュールとして一つの物理的デバイスに統合されており、端末装置の現在のPDUセッションにサービスするよう構成されていることを注意しておくべきである。よって、図７における図解のためには一つのUPFが使われている。しかしながら、N3  UPFおよびアンカーUPFは代替的には、それぞれ異なる物理的デバイスに統合されてもよいことを注意しておくべきである。
【０１３０】
既存の5G標準によれば、端末装置はN1を通じてAMFに接続され、AMFはN2を通じてRANに接続され、N3  UPFはN3を通じてRANに接続され、SMFはN4を通じてN3  UPFおよびアンカーUPFに接続され、アンカーUPFはN6を通じてDNに接続され、SMFはN7を通じてPCFに接続され、AMFはN8を通じてUDMに接続される。UPFの間のインターフェースはN9であり、具体的には、N3  UPFとアンカーUPFの間のインターフェース、N3  UPF間のインターフェースおよびアンカーUPF間のインターフェースはみなN9である。SMFはN10を通じてUDMに接続され、AMFはN11を通じてSMFに接続され、AUSFはN12を通じてAMFに接続され、AUSFはN13を通じてUDMに接続され、AMFはN14を通じてもう一つのAMFに接続され、前記AMFはN15を通じてPCFに接続される。
【０１３１】
本願の諸実施形態における図２ａおよび図２ｂまたは図４ａおよび図４ｂに示されるユーザープレーン経路再確立を開始する方法におけるセッション管理機能エンティティーは、図７に示されるSMFと等価であり、本願の諸実施形態における図２ａおよび図２ｂまたは図４ａおよび図４ｂに示されるユーザープレーン経路再確立を開始する方法における移動性管理機能エンティティーは、図７に示されるAMFと等価であり、本願の諸実施形態における図２ａおよび図２ｂまたは図４ａおよび図４ｂに示されるユーザープレーン経路再確立を開始する方法におけるユーザープレーン機能エンティティーは、図７に示されるUPFと等価であることを注意しておくべきである。具体的には、本願の諸実施形態における図２ａまたは図２ｂに示されるユーザープレーン経路再確立を開始する方法におけるユーザープレーン機能エンティティーはPDUセッション・アンカーUPFと等価であってもよく、図４ａまたは図４ｂに示されるユーザープレーン経路再確立を開始する方法における第二のユーザープレーン機能エンティティーおよび第三のユーザープレーン機能エンティティーはPDUセッション・アンカーUPFと等価であり、図４ａまたは図４ｂに示されるユーザープレーン経路再確立を開始する方法における第一のユーザープレーン機能エンティティーおよび第一の目的ユーザープレーン機能エンティティーはN3  UPFと等価である。
【０１３２】
下記は、図７に示される通信システムを例として使って、本願における、PDUセッションについてユーザープレーン経路再確立を開始するための技術的解決策を記述する。
【０１３３】
図８に示されるように、PDUセッションを初期に確立するまたはPDUセッションを再確立するプロセスは次の諸段階を含む。
【０１３４】
段階８００：端末装置が、PDUセッションを確立するための確立プロセスを開始するために、PDUセッション確立要求をAMFに送る。ここで、PDUセッション確立要求は、非アクセス層（Non  Access  Stratum、NAS）メッセージまたは別のメッセージにおいて担持され、PDUセッション確立要求は、端末装置のためにPDUセッションを確立するために（AMFまたはSMFである）ネットワークによって要求されるパラメータ情報を含む。PDUセッション確立要求を受信した後、AMFは、PDUセッション確立要求に含まれるパラメータ情報および端末装置の位置情報に基づいてSMFを選択する。
【０１３５】
段階８０１：AMFはセッション確立要求メッセージを選択されたSMFに送る。セッション確立要求メッセージは、端末装置の位置情報とPDUセッションを確立するために要求されるパラメータ情報とを含む。
【０１３６】
たとえば、端末装置の位置情報は、端末装置の現在のセルIDまたはTAIであり、端末装置の位置情報はRANから得られる。加えて、AMFはTAリストをも、選択されたSMFに送ってもよい。次いで、SMFは、セッション確立要求に含まれる、PDUセッションを確立するために要求されるパラメータ情報および端末装置の位置情報に基づいて、N3  UPFおよびPDUセッション・アンカーUPFを選択する。図７に示されるように、N3  UPFおよびアンカーUPFは一つの物理的デバイスに統合される。実際の応用では、N3  UPFおよびアンカーUPFが別個の物理的デバイスであるときは、N3  UPFとアンカーUPFとの間のトンネルを確立するプロセスがPDUセッション確立手順に追加される必要がある。具体的なプロセスについては、従来技術を参照されたい。本願のこの実施形態では詳細は述べない。
【０１３７】
段階８０２：SMFが、UDMから端末装置のPDUセッション関係の申し込み情報を取得する。
【０１３８】
段階８０３：SMFが、PCFから端末装置のPDUセッション関係のポリシー情報を取得する。
【０１３９】
段階８０４：SMFが、取得された、端末装置のPDUセッション関係の申し込み情報およびポリシー情報に基づいてN4メッセージを生成し、該N4メッセージをPDUセッションのために要求されるユーザープレーン資源を生成するためにUPFに送り、該UPFのために、PDUセッションのために要求される情報、たとえば転送規則および報告規則を構成設定する。
【０１４０】
段階８０５：SSCモード１でのPDUセッションについては、SMFは、選択されたN3  UPFのサービス・エリアに基づいて、PDUセッションのための位置報告粒度を決定する；SSCモード２またはSSCモード３でのPDUセッションについては、SMFは、セッション確立要求メッセージに含まれる端末装置の位置情報に基づいてPDUセッション・サービス・エリア（略PSSA）を決定し、次いで、N3  UPFのサービス・エリアおよび前記PSSAに基づいて、端末装置のPDUセッションのための位置報告粒度を決定する。SMFは、決定された位置報告粒度を記憶する。
【０１４１】
PDUセッションについての位置報告粒度を定義するとき、SMFは、課金要件のような他の要件をも考慮する必要がありうることを注意しておくべきである。他の要件、たとえば課金要件も、AMFが端末装置の位置情報を報告することを要求する場合、SMFは、これらの要件のうち最も細かい報告粒度を、PDUセッションのための位置報告粒度として選択する。たとえば、課金要件がPDUセッションがTAIによって課金されることを要求する場合、課金ポリシーに基づいて定義される報告粒度は一つのTAIである。N3  UPFのサービス・エリアがTAIの一つのグループである場合、SMFによって定義される位置報告粒度は、UPFのサービス・エリアのTAIの一つのグループではなく、一つのTAIである。
【０１４２】
SMFが位置報告粒度に影響する他の要件を受け取らないときは、SMFはN3  UPFのサービス・エリアのみに基づいて位置報告粒度を決定する。N3  UPFのサービス・エリアがTAリストの部分集合であるとすると、報告粒度はN3  UPFのサービス・エリアである。この場合、端末装置がN3  UPFのサービス・エリアから出るときに、AMFは端末装置の新たな位置情報をSMFに報告する。
【０１４３】
位置報告粒度を決定するための具体的実装については、本願の諸実施形態における図６に示されるユーザープレーン経路再確立を開始する方法において位置報告粒度を決定するための具体的実装が参照されうることを理解しておくべきである。ここで再び詳細を述べることはしない。
【０１４４】
段階８０６：SMFは、位置報告粒度に基づいてセッション確立応答メッセージを生成し、該セッション確立応答メッセージをAMFに送る。ここで、セッション確立応答メッセージは位置報告粒度およびN2メッセージを含み、N2メッセージはSM  N2メッセージおよびSM  NASメッセージを含む。
【０１４５】
段階８０７：セッション確立応答メッセージを受信後、AMFは位置報告粒度を取得して記憶し、PDUセッション確立応答を生成し、PDUセッション確立応答NASメッセージおよびSM  N2メッセージをRANに送る。
【０１４６】
具体的には、AMFはSMFから受信されたSM  NASに基づいてPDUセッション確立応答を生成し、該PDUセッション確立応答およびSMFから受信されたSM  N2情報の両方をANに送る。PDUセッション確立応答は、NASメッセージまたは他のメッセージにおいて担持されてもよい。
【０１４７】
段階８０８；RANは、SM  N2情報メッセージに基づいてRRCリンクを構成し、PDUセッション確立応答を端末装置に送る。
【０１４８】
段階８０９：RANは、AMFにN2メッセージを送る。ここで、N2メッセージはSM  N2メッセージを含み、SM  N2情報はRANのN3下りリンク・トンネル情報を含む。
【０１４９】
段階８１０：AMFがSM  N2情報をSMFに転送する。
【０１５０】
段階８１１：SMFがUPFを更新する。
【０１５１】
段階８１２；SMFが応答メッセージをAMFに送る。
【０１５２】
図９は、SSCモード１におけるPDUセッションを例として使って、Xnハンドオーバー手順におけるユーザープレーン経路切り換え方法を示している。端末装置のもとのユーザープレーン経路が、端末装置←→S-RAN（源RAN）←→N3  UPF1←→アンカーUPFであるとすると、図９に示されるXnハンドオーバー手順におけるユーザープレーン経路切り換え方法は次の諸段階を含む。
【０１５３】
段階９００：端末装置がT-RAN（目的RAN）にハンドオーバーされる必要があることを判別した後、S-RANは、S-RANとT-RANの間のXnベースのハンドオーバー手順を実行する。Xnベースのハンドオーバー手順はコンテキスト移転、データ転送などを含んでいてもよい。T-RANは、ハンドオーバー完了後にN3トンネル更新プロセスを開始する。
【０１５４】
段階９０１：T-RANがAMFにN2メッセージを送る。N2メッセージは、端末装置の現在のセル情報および／または現在のTAIを含む。N2メッセージは、SM  N2情報をも担持し、SM  N2情報は、すべてのアクティブなPDUセッションに対応するT-RANの下りリンク・トンネル情報を含む。
【０１５５】
段階９０２：N2メッセージを受信後、AMFは、SM  N2情報がすべてのアクティブなPDUセッションに対応するT-RANの下りリンク・トンネル情報を含んでいたことを判別し、SM  N2情報に含まれるすべてのPDUセッションに対応する諸SMFへの諸経路更新メッセージを送る。ここで、経路更新メッセージは、端末装置の現在位置、たとえばセルIDおよび／またはTAIを含む。
【０１５６】
加えて、AMFは、SM  N2メッセージに含まれない各PDUセッションについての位置報告粒度および端末装置の対応する現在位置情報に基づいて、端末装置についての位置更新通知メッセージを対応するSMFに送るかどうかを決定する。AMFは、位置更新通知メッセージが送られる必要のある各SMFに、セッション更新通知メッセージを送り、対応するSMFに、端末装置の現在位置情報、たとえばセルIDまたはTAIを送る。
【０１５７】
段階９０３：SMFは、端末装置の現在位置情報とPDUセッションについてのN3  UPF1のサービス・エリアとに基づいて、ユーザープレーン経路修正が必要とされるかどうか、たとえば新たなN3  UPFを追加するか、N3  UPFを切り換えるか、あるいはもとのユーザープレーン経路からN3  UPFを削除するかどうかを決定する。
【０１５８】
SMFが、端末装置の現在位置情報とPDUセッションについてのN3  UPF1のサービス・エリアとに基づいて、ユーザープレーン経路修正が必要とされるかどうかを決定するための具体的な仕方については、図６に示されるユーザープレーン経路再確立を開始する方法を参照されたい。
【０１５９】
この実施形態における手順では、PDUセッションはSSCモード１であると想定された。よって、アンカーUPF（すなわち、PDUセッション・アンカーUPF）は変更されないままである。
【０１６０】
SMFが新たなN3  UPFが必要とされることを判別する場合、SMFは新たなN3  UPF（図におけるN3  UPF2に対応）を、UEの位置のような情報に基づいて選択する。N3  UPF2およびアンカーUPFが統合されているときは、実際の手順は、もとのユーザープレーン経路においてN3  UPF1を削除することである。もとのユーザープレーン経路においてN3  UPF1およびアンカーUPFが統合されているときは、実際の手順はユーザープレーン経路にN3  UPF2を追加することである。
【０１６１】
段階９０４：SMFがN3  UPF2に、ユーザープレーン経路を確立するためのメッセージを送る（ユーザープレーン経路はN9トンネルおよびN3トンネルである）。
【０１６２】
N3トンネル切り換えが要求されないPDUセッションについては、SMFはN9トンネルおよびN3上りリンク・トンネルのみを確立する。
【０１６３】
N3トンネル切り換えが要求されるPDUセッションについては、SMFはN9トンネルおよび（上りリンクおよび下りリンクを含む）N3トンネルを確立する。
【０１６４】
段階９０５：SMFはアンカーUPFに、ユーザープレーン経路を更新するよう命令する。
【０１６５】
段階９０６：SMFがPDUセッションのための新たなN3  UPF（たとえば図９に示されるN3  UPF2；これはN3  UPF切り換えが実行されたことを意味する）を選択する場合、SMFは、N3  UPF2のサービス・エリアに基づいて、新たな位置報告粒度を決定する。SMFはセッション更新応答メッセージをAMFに送る。ここで、セッション更新応答メッセージは新たな位置報告粒度を含む。
【０１６６】
加えて、セッション更新応答メッセージはさらに、SM  N2メッセージを担持し、SM  N2メッセージは、PDUセッションに対応するN3  UPF2のN3上りリンク・トンネル情報を含む。
【０１６７】
段階９０７：N3トンネル切り換えが要求されるPDUセッションについては、AMFはSMFによって送られたSM  N2メッセージをT-RANに送る。
【０１６８】
段階９０８：SMFはN3  UPF1を削除するためのPDUセッションを開始する。前記切り換え後のユーザープレーン経路は、端末装置←→T-RAN←→N3  UPF2←→アンカーUPFである。
【０１６９】
図９に示されるユーザープレーン経路切り換え方法は、他の接続モード・ベースのハンドオーバー手順、たとえばN2ベースのハンドオーバー手順にも適用可能であることを注意しておくべきである。
【０１７０】
図１０は、登録手順におけるユーザープレーン経路切り換え手順を示している。図１０に示される登録手順におけるユーザープレーン経路切り換え手順では、図７に示される通信システムにおけるSSCモード１でのPDUセッションが例として使われる。端末装置が登録を開始するとき、この実施形態における特定の登録手順の型は定期的な登録または端末装置の移動によってトリガーされる位置更新登録でありうる。具体的には、図１０に示されるユーザープレーン経路切り換え手順は、以下の諸段階を含む。
【０１７１】
段階１０００：端末装置はAMFに登録要求を送る。ここで、登録要求の型は、定期的な登録要求または位置更新登録要求でありうる。登録要求はNASメッセージまたは他のメッセージにおいて担持されうる。RANが端末装置の一時IDに基づいてAMFを選択し、前記登録要求および端末装置の現在位置情報（たとえばセルIDおよび／またはTAI）をAMFに送る。端末装置は、登録要求を使うことによって、いくつかまたは全部のPDUセッションのアクティブ化を要求しうる。
【０１７２】
段階１００１：端末装置の真のID情報が記憶されていないことを判別する場合、AMFは端末装置からのID情報を要求する。
【０１７３】
段階１００２：AMFは、AMFの要件に基づいて、認証手順を開始する。
【０１７４】
段階１００３：AMFは、UDMに位置更新要求を送り、AMFを前記端末装置のためのサービスするAMFとして登録し、UDMからユーザー申し込みデータを取得する。
【０１７５】
段階１００４：端末装置が登録要求を使うことによってPDUセッションのアクティブ化を要求する場合、AMFはセッション更新要求メッセージを、アクティブ化が要求されたPDFセッションに対応するSMFに送る。ここで、セッション更新要求メッセージは端末装置の位置情報、たとえばセルIDおよび／またはTAIを含む。
【０１７６】
端末装置がアクティブ化を要求していないPDUセッションについては、AMFは端末装置の対応する位置報告粒度情報および端末装置の現在位置情報を検査する。端末装置が現在、前記セッションのための申し込まれた位置報告粒度から出ている場合、AMFはセッション更新要求をSMFに送り、AMFはこのメッセージを使うことによって、端末装置の現在位置（たとえばセルIDおよび／またはTAI）をSMFに送る。
【０１７７】
段階１００５：SMFは、端末装置の現在位置情報とPDUセッションについてのN3  UPF1のサービス・エリアとに基づいて、ユーザープレーン経路修正が必要とされているかどうか、たとえば新たなN3  UPFを加えるか、N3  UPFを切り換えるか、あるいはもとのN3  UPFを経路から削除するかどうかを決定する。
【０１７８】
この実施形態の手順では、PDUセッションがSSCモード１であると想定した。よって、アンカーUPFは不変のままである。
【０１７９】
SMFが新たなN3  UPFが選択される必要があることを判別する場合、SMFは、端末装置の位置情報のような情報に基づいて、新たなN3  UPF（図１０に示されるN3  UPF2）を選択する。N3  UPF2およびアンカーUPFが一つの物理的デバイスに統合されているときは、実際の手順は経路からN3  UPF1を削除することである。N3  UPF1およびアンカーUPFが統合されているときは、実際の手順は経路にN3  UPF2を追加することである。
【０１８０】
段階１００６：SMFは、ユーザープレーン経路を確立するために、N4メッセージをN3  UPF2に送る（該ユーザープレーン経路はN3およびN9トンネルである）。アクティブ化される必要のないPDUセッションについては、SMFはN9トンネルおよびN3上りリンク・トンネルのみを確立する。アクティブ化される必要のあるPDUセッションについては、SMFはN9トンネルならびにN3上りリンクおよび下りリンク・トンネルを確立する。
【０１８１】
段階１００７：N3  UPF2はN4応答メッセージをSMFに送る。
【０１８２】
段階１００８：SMFは、ユーザープレーン経路を更新するようアンカーUPFに命令する。
【０１８３】
段階１００９：アンカーUPFはN4応答メッセージをSMFに送る。
【０１８４】
段階１０１０：登録手順の他の段階を実行する。たとえば、SMFはPDUセッションのために新たなN3  UPF（つまり、N3  UPF2）に基づいて新たな位置報告粒度を決定し、SMFはPDUセッションのための該新たな位置報告粒度をAMFに送る。アクティブ化される必要のあるPDUセッションについて、SMFはUEについてのN3トンネルを確立する。
【０１８５】
図１１は、端末装置のサービス要求に際してのユーザープレーン経路切り換え手順を示している。この手順では、図７に示される通信システムにおけるSSCモード１でのPDUセッションが例として使われる。この手順は具体的には以下の諸段階を含む。
【０１８６】
段階１１００：端末装置がサービス要求をAMFに送る。サービス要求を転送するとき、RANは端末装置の現在位置情報、たとえばセルIDおよび／またはTAIをサービス要求に加える。サービス要求はNASメッセージまたは他のメッセージにおいて担持されてもよい。これは本願において限定されない。
【０１８７】
段階１１０１：AMFは、AMFの要件に基づいて、端末装置に対する認証を開始する。
【０１８８】
段階１１０２：端末装置が前記サービス要求を使って一つまたは複数のPDUセッションのアクティブ化を要求する場合、AMFはセッション更新要求をPDFセッションに対応するSMFに送り、AMFは該セッション更新要求を使って、端末装置の現在位置情報をSMFに送る。
【０１８９】
加えて、AMFは、アクティブ化される必要のない当該端末装置の他のPDUセッションについて、位置報告粒度を検査する。端末装置の現在位置情報が申し込まれた位置報告粒度のレンジから出ている場合、AMFはセッション更新要求をこれらのPDUセッションに対応する諸SMFに送り、端末装置の現在位置情報（たとえばセルIDおよび／またはTAI）をそれらのSMFに送る。
【０１９０】
段階１１０３：端末装置の現在位置情報を受信した際、SMFは、端末装置の現在位置情報とN3  UPF1のサービス・エリアとに基づいて、ユーザープレーン経路について、新たなN3  UPFを加えるか、N3  UPFを削除するか、あるいはN3  UPFを切り換えるかどうかを決定する。SMFが新たなN3  UPFが要求されることを判別する場合、SMFは、端末装置の位置のような情報に基づいてN3  UPF2を選択する。
【０１９１】
段階１１０４：SMFは、N3  UPF2とアンカーUPFとの間のN9トンネルを確立するために、N4メッセージをN3  UPF2に送る。アクティブ化される必要のないPDUセッションについては、SMFはN9トンネルおよびN3上りリンク・トンネルのみを確立する。アクティブ化される必要のあるPDUセッションについては、SMFはN9トンネルならびにN3上りリンクおよび下りリンク・トンネルを確立する。前記サービス要求がネットワークによりトリガーされる場合、アクティブ化される必要のあるPDUセッションについては、N4メッセージは、N3  UPF1とN3  UPF2との間の転送トンネルを確立するためにも使われる。
【０１９２】
段階１１０５：N3  UPF2はN4応答メッセージをSMFに送る。
【０１９３】
段階１１０６：SMFは、PDUセッションのためのユーザープレーン経路（N9トンネル）を更新するよう、アンカーUPFにN4メッセージを送る。
【０１９４】
段階１１０７：アンカーUPFはN4応答メッセージをSMFに送る。
【０１９５】
段階１１０８：前記サービス要求がネットワークによりトリガーされる場合、N3  UPF1とN3  UPF2との間の転送トンネルを確立するために、SMFはN4メッセージをN3  UPF1に送る。ここで、N4メッセージは、N3  UPF1とアンカーUPFとの間のN9トンネルを削除するためにも使われる。
【０１９６】
段階１１０９：N3  UPF1がN4応答メッセージをSMFに送る。
【０１９７】
段階１１１０：N3  UPF変更が起こった場合、SMFはPDUセッションについての新たな位置報告粒度を、新たなN3  UPF（たとえば図１１におけるN3  UPF2）のサービス・レンジに基づいて決定する。
【０１９８】
SMFはAMFにセッション更新応答メッセージを送る。ここで、該メッセージは、PDUセッションのための新たな位置報告粒度を含む。すべてのアクティブ化されるべきPDUセッションについて、該メッセージはさらにSM  N2情報を含み、該SM  N2情報はN3  UPF2のN3上りリンク・トンネル情報を含む。
【０１９９】
そのユーザープレーン経路が変更されるところの（つまり、N3  UPF切り換えが実行された）、アクティブ化される必要のないPDUセッションについては、段階１１１２ないし１１１８は実行される必要がない。
【０２００】
段階１１１１：AMFはN2メッセージをRANに送る。ここで、N2メッセージはSMFによって送られたSM  N2メッセージを含む。
【０２０１】
段階１１１２：RANは端末装置とのRRC再構成設定を実行して、アクティブ化されたばかりのPDUセッションに資源を割り当てる。上りリンク・データがRANからN3  UPF2に送られる。
【０２０２】
段階１１１３：RANはN2応答メッセージをAMFに送る。ここで、N2応答メッセージはSM  N2情報を担持し、SM  N2メッセージはRANのN3下りリンク・トンネル情報を含む。
【０２０３】
段階１１１４：AMFはN11メッセージをSMFに送る。ここで、N11メッセージはRANによって送られたSM  N2情報を含む。
【０２０４】
段階１１１５：SMFはセッション・ポリシーを更新する。
【０２０５】
段階１１１６：SMFはN4メッセージをN3  UPF2に送り、N3  UPF2のN3トンネルを更新する。下りリンク・データがN3  UPF2からRANに送られ、N3  UPF2を使うことによって下りリンク転送データがN3  UPF1からRANに送られる。
【０２０６】
段階１１１７：N3  UPF1は、バッファリングされたデータの最後のピースの送信が完了された後、SMFに完了フラグを送る。SMFは、転送トンネル削除要求‐N4メッセージをN3  UPF1およびN3  UPF2に送り、N3  UPF1およびN3  UPF2に転送トンネルを削除するよう命令する。あるいはまた、SMFは転送タイマーをローカルに設定し、転送タイマー満了後、SMFは転送トンネル削除要求‐N4メッセージをN3  UPF1およびN3  UPF2に送り、N3  UPF1およびN3  UPF2に転送トンネルを削除するよう命令する。転送トンネル削除要求を受信後、N3  UPF1およびN3  UPF2は転送トンネルを削除する；N3  UPF1およびN3  UPF2はそれぞれ転送トンネル削除応答をSMFに送り、SMFに、転送トンネルの削除の完了を通知する。転送トンネル削除要求および転送トンネル削除応答は、N4メッセージまたは他のメッセージにおいて担持されうる。これは本願では限定されない。
【０２０７】
段階１１１８：SMFはAMFにN11応答メッセージを送る。段階１１１８は段階１１１７の前に実行されてもよい。
【０２０８】
図１２は、PDUセッション再確立手順を示している。この手順においては、図７に示される通信システムにおけるSSCモード２またはSSCモード３でのPDUセッションが例として使われる。端末装置が動いた後、SMFは、端末装置の移動後の位置情報に基づいてPDUセッション・サービス・エリア（PSSAとも称される）を決定する。PSSAを決定するための具体的な仕方については、本願の諸実施形態における図２ａに示されるユーザープレーン経路再確立を開始する方法におけるセッション・サービス・エリアを決定する仕方を参照されたい。ここで再び詳細を述べることはしない。具体的には、PDUセッション再確立手順は、以下の諸段階を含む。
【０２０９】
段階１２００：端末装置が移動する前は、端末装置のPDUセッション・アンカーはアンカーUPF1である。端末装置が移動した後は、再登録手順またはハンドオーバー手順のような手順がトリガーされてもよく、端末装置は、アイドル・モードにあるか接続モードにあるかによらず、PDUセッションのアクティブ化をトリガーするサービス要求（Service  Request、SR）プロセスを開始してもよい。
【０２１０】
段階１２０１：再登録手順またはハンドオーバー手順において、AMFは、端末装置の位置報告粒度に基づいて、SMFに端末装置の位置情報を通知するかどうかを決定する。端末装置のPDUセッションについての位置報告粒度を決定した後にAMFがSMFに端末装置の位置情報を通知することを決定する場合、AMFは端末装置の位置情報をSMFに送る。端末装置の位置情報は、他のN11メッセージと一緒にSMFに送られてもよい。
【０２１１】
段階１２０２：SMFは、PDUセッション再確立手順を開始するかどうかを決定するために、端末装置の位置情報がPDUセッションについてのPSSA内であるかどうかを判定する。PDUセッション再確立手順を開始するよう端末装置に命令することを決定する場合、SMFは段階１２０３を実行する。PDUセッション再確立手順とは、同じデータ・ネットワークにおいてPDUセッションを確立することを意味する。
【０２１２】
段階１２０３：SMFはNASメッセージを端末装置に送って、PDUセッション再確立を開始するようUEに命令する。ここで、NASメッセージはAMFを使って送られる。
【０２１３】
段階１２０４：端末装置は、SMFによって送られたNASメッセージを受信後、PDUセッション再確立を開始する。新たなPDUセッションのためのアンカーはアンカーUPF2である。SSCモード２におけるPDUセッションについては、端末装置は、PDUセッション再確立の前に、もとのPDUセッションを解放する。SSCモード３におけるPDUセッションについては、端末装置は、新たなPDUセッションが確立された後に、要件に基づいて、もとのPDUセッションを解放する。
【０２１４】
同じ発想に基づき、本願の実施形態はさらに、図１３ａに示されるおよび図１４ａに示されるユーザープレーン経路再確立を開始するための装置を提供する。本願の諸実施形態における図１３ａに示される装置は、本願の諸実施形態における図２ａおよび図２ｂに示されるユーザープレーン経路再確立を開始する方法に対応する。よって、本願の諸実施形態における図１３ａに示される装置の実装については、図２ａおよび図２ｂに示されるユーザープレーン経路再確立を開始する方法の実装を参照されたい。ここで再び詳細を述べることはしない。本願の諸実施形態における図１４ａに示される装置は、本願の諸実施形態における図４ａおよび図４ｂに示されるユーザープレーン経路再確立を開始する方法に対応する。よって、本願の諸実施形態における図１４ａに示される装置の実装については、図４ａおよび図４ｂに示されるユーザープレーン経路再確立を開始する方法の実装を参照されたい。ここで再び詳細を述べることはしない。
【０２１５】
図１３ａに示されるように、本願のある実施形態は、処理モジュール１３１０ａおよび受信モジュール１３２０ａを含む、ユーザープレーン経路再確立を開始するための装置を提供する。
【０２１６】
処理モジュール１３１０ａは、端末装置の第一の位置情報に基づいて、前記端末装置の現在のセッションが属するセッション・サービス・エリアを決定するよう構成される。前記第一の位置情報は、現在のセッションを確立するプロセスにおいてまたは第一のユーザープレーン機能エンティティーから第二のユーザープレーン機能エンティティーへのハンドオーバーのプロセスにおいて、セッション管理機能エンティティーによって受信された前記端末装置の位置情報である。前記第一のユーザープレーン機能エンティティーは、前記第二のユーザープレーン機能エンティティーへのハンドオーバー前に前記端末装置のセッションにサービスするよう構成される。前記第二のユーザープレーン機能エンティティーは現在のセッションにサービスするよう構成される。
【０２１７】
受信モジュール１３２０ａは、移動性管理機能エンティティーによって送られた前記端末装置の第二の位置情報を受信するよう構成される。
【０２１８】
処理モジュール１３１０ａは：前記受信モジュールによって受信された前記第二の位置情報が前記セッション・サービス・エリア内でないと判別するとき、前記端末装置に、現在のセッションのための再確立手順を開始するまたはハンドオーバー手順を開始するよう命令するよう構成される。前記ハンドオーバー手順は現在のセッションにサービスするユーザープレーン機能エンティティーから目的ユーザープレーン機能エンティティーに切り換えるために使われる。前記目的ユーザープレーン機能エンティティーは、前記ハンドオーバー手順が完了した後に前記端末装置のセッションにサービスするよう構成される。
【０２１９】
たとえば、セッション・サービス・エリアは、現在のセッションにサービスするユーザープレーン機能エンティティーのサービス・エリアを含む。
【０２２０】
たとえば、セッション・サービス・エリアが現在のセッションにサービスするユーザープレーン機能エンティティーのサービス・エリアの一部を含むとき、処理モジュール１３１０ａは：前記第二の位置情報が前記セッション・サービス・エリア内でも現在のセッションにサービスするユーザープレーン機能エンティティーのサービス・エリア内でもないことを判別するときに、前記端末装置に、現在のセッションのための再確立手順を開始するまたはハンドオーバー手順を開始するよう命令するよう構成される。
【０２２１】
具体的には、処理モジュール１３１０ａは、次の実装の仕方でセッション・サービス・エリアを決定してもよい：
前記端末装置の前記第一の位置情報を中心として使って、前記セッション・サービス・エリアの中心位置を決定し；前記セッション・サービス・エリアのサイズを決定する。
【０２２２】
たとえば、処理モジュール１３１０ａは、次の仕方でセッション・サービス・エリアのサイズを決定してもよい：
現在のセッションにサービスするユーザープレーン機能エンティティーのサービス・エリアに基づきおよび／または前記端末装置の移動性パターンに基づき、セッション・サービス・エリアのサイズを決定する。ここで、移動性パターンは、前記端末装置の移動レンジ、前記端末装置の移動スピードおよび前記端末装置の移動軌跡のうちの少なくとも一つを含む。
【０２２３】
ある可能な実装では、前記セッション・サービス・エリアを決定した後、処理モジュール１３１０ａは、前記セッション・サービス・エリアに基づいて前記端末装置の位置報告粒度を決定する。ここで、位置報告粒度は、移動性管理機能エンティティーが前記端末装置の位置情報をセッション管理機能エンティティーに報告するためのレンジを示すために使われる。当該装置の送信モジュール１３３０が、処理モジュールによって決定された位置報告粒度を移動性管理機能エンティティーに送る。
【０２２４】
具体的には、セッション・サービス・エリアに基づいて位置報告粒度を決定する前に、処理モジュール１３１０ａは、少なくとも一つの位置報告要件であって、前記少なくとも一つの位置報告要件はエリア情報の少なくとも一つのピースを含み、前記エリア情報の少なくとも一つのピースは端末装置が位置情報を報告する必要があるレンジを示すために使われる、位置報告要件を取得し；次いで、前記セッション・サービス・エリアおよび前記エリア情報の少なくとも一つのピースに基づいて前記位置報告粒度を決定する。ここで、前記位置報告粒度は、前記セッション・サービス・エリアおよび前記エリア情報の少なくとも一つのピースの交わりである。
【０２２５】
上記の具体的なユニットの分割は単に例であり、本願に対する限定をなすものではないことを理解しておくべきである。
【０２２６】
図１３ａに示されるユーザープレーン経路再確立を開始するための装置が別個の物理的デバイスとして存在するとき、当該装置のハードウェア構造は図１３ｂに示されるセッション管理機能デバイスであってもよい。図１３ａに示される処理モジュール１３１０ａはプロセッサ１３１０ｂによって実装されてもよく、受信モジュール１３２０ａおよび送信モジュール１３３０ａは通信インターフェース１３２０ｂによって実装されてもよい。加えて、図１３ｂに示されるセッション管理機能デバイスはさらに、メモリ１３３０ｂを含む。メモリ１３３０ｂは、ソフトウェア・プログラム、通信インターフェース１３２０ｂを通じて送信および受信されるデータ情報などを記憶するよう構成される。プロセッサ１３１０ｂは：前記ソフトウェア・プログラムおよびメモリ１３３０ｂに記憶されている前記データを読み、本願の諸実施形態における図２ａまたは図２ｂに示される方法を実装するよう構成される。
【０２２７】
プロセッサ１３１０ｂは、汎用の中央処理ユニット（Central  Processing  Unit、CPU）、マイクロプロセッサ、特定用途向け集積回路（Application-Specific  Integrated  Circuit、ASIC）または一つまたは複数の集積回路であってもよく、本願の諸実施形態において提供される技術的解決策を実装するために、関係した動作を実行するよう構成される。
【０２２８】
図１３ｂに示されるセッション管理機能デバイスについてはプロセッサ１３１０ｂ、通信インターフェース１３２０ｂおよびメモリ１３３０ｂのみが示されているが、具体的な実装プロセスでは、当業者は、セッション管理機能デバイスは、正常な稼働を実現するために必須の他のコンポーネントをも含むことを理解すべきであることを注意しておくべきである。さらに、具体的な要件に基づき、当業者は、セッション管理機能デバイスがさらに、他の追加的な機能を実装するためのハードウェア・コンポーネントを含んでいてもよいことを理解するべきである。加えて、当業者は、セッション管理機能デバイスが代替的に、図１３ｂに示されるすべてのコンポーネントを含む代わりに、本願の実施形態を実装するために必須のコンポーネントまたはモジュールのみを含んでいてもよいことを理解するべきである。
【０２２９】
当業者は、諸実施形態における諸方法の諸プロセスの全部またはいくつかが、関係したハードウェアに命令するコンピュータ・プログラムによって実装されてもよいことを理解しうる。プログラムは、コンピュータ可読記憶媒体に記憶されてもよい。プログラムが走るとき、諸実施形態における諸方法の諸プロセスが実行される。上記の記憶媒体は磁気ディスク、光ディスク、読み出し専用メモリ（Read-Only  Memory、ROM）またはランダムアクセスメモリ（Random  Access  Memory、RAM）を含んでいてもよい。
【０２３０】
図１４ａに示されるように、本願のある実施形態は、処理モジュール１４１０ａおよび受信モジュール１４２０ａを含む、ユーザープレーン経路再確立を開始するための装置を提供する。
【０２３１】
受信モジュール１４２０ａは、移動性管理機能エンティティーによって送られた端末装置の第一の位置情報を受信するよう構成される。
【０２３２】
処理モジュール１４１０ａは：受信モジュール１４２０ａによって受信された前記第一の位置情報が第一のサービス・エリア内でないと判別するとき、前記第一の位置情報に基づいて第一の目的ユーザープレーン機能エンティティーを選択し、現在のセッションのためのユーザープレーン経路再確立手順を開始するよう構成される。
【０２３３】
前記第一のサービス・エリアは、第一のユーザープレーン機能エンティティーのサービス・エリアであり、前記第一のユーザープレーン機能エンティティーは、前記端末装置の現在のセッションにサービスするよう構成される。第一の目的ユーザープレーン機能エンティティーは、再確立されたユーザープレーン経路を通じて端末装置のセッションにサービスする。
【０２３４】
ある可能な実装では、移動性管理機能エンティティーによって送られた端末装置の第一の位置情報を受信モジュール１４２０ａが受信する前に、処理モジュール１４１０ａは、前記第一のサービス・エリアに基づいて前記端末装置の位置報告粒度を決定する。該位置報告粒度は、移動性管理機能エンティティーが前記端末装置の位置情報をセッション管理機能エンティティーに報告するためのレンジを示すために使われる。当該装置の送信モジュール１４３０ａは、該位置報告粒度を移動性管理エンティティーに送るよう構成される。
【０２３５】
たとえば、前記第一のサービス・エリアに基づいて位置報告粒度を決定する前に、処理モジュール１４１０ａは、前記端末装置の第二の位置情報に基づいて、現在のセッションが属するセッション・サービス・エリアを決定し、前記第一のサービス・エリアおよび前記セッション・サービス・エリアに基づいて前記端末装置の位置報告粒度を決定する。ここで、前記第二の位置情報は、前記端末装置の現在のセッションを確立するプロセスにおいてまたは第二のユーザープレーン機能エンティティーから第三のユーザープレーン機能エンティティーへのハンドオーバーのプロセスにおいて、前記セッション管理機能エンティティーによって受信された前記端末装置の位置情報であり、前記第二のユーザープレーン機能エンティティーは、前記第三のユーザープレーン機能エンティティーへのハンドオーバー前に前記端末装置のセッションにサービスするよう構成され、前記第三のユーザープレーン機能エンティティーは現在のセッションにサービスするよう構成される。位置報告粒度は、前記第一のサービス・エリアおよび前記セッション・サービス・エリアの交わりエリアより大きくない。
【０２３６】
たとえば、前記第一のサービス・エリアに基づいて位置報告粒度を決定する前に、処理モジュール１４１０ａは、少なくとも一つの位置報告要件であって、前記少なくとも一つの位置報告要件はエリア情報の少なくとも一つのピースを含み、前記エリア情報の少なくとも一つのピースは端末装置が位置情報を報告する必要があるレンジを示すために使われる、位置報告要件を取得し；次いで、前記第一のサービス・エリアおよび前記エリア情報の少なくとも一つのピースに基づいて前記位置報告粒度を決定する。ここで、前記位置報告粒度は、前記第一のサービス・エリアおよび前記エリア情報の少なくとも一つのピースの交わりである。
【０２３７】
ある可能な実装では、現在のセッションについてユーザープレーン経路再確立を開始した後、処理モジュール１４１０ａは、第一のユーザープレーン機能エンティティーがバッファリングされたデータをもつことを判別する場合、転送トンネルを確立する。ここで、転送トンネルは、第一の目的ユーザープレーン機能エンティティーと第一のユーザープレーン機能エンティティーとの間のトンネルであり、第一のユーザープレーン機能エンティティーは該転送トンネルを通じて、バッファリングされたデータを第一の目的ユーザープレーン機能エンティティーに送る。
【０２３８】
加えて、たとえば、転送トンネルを確立した後、処理モジュール１４１０ａは、受信モジュールが、第一のユーザープレーン機能エンティティーによって送られ、前記バッファリングされたデータの送信の完了を示すフラグを受信したことを判別した後、前記転送トンネルを削除する；あるいは、前記転送トンネルを確立した後に転送タイマーを開始し、該転送タイマーの事前設定された期間が満了した後、前記転送トンネルを削除する。
【０２３９】
上記の具体的なユニットの分割は単に例であり、本願に対する限定をなすものではないことを理解しておくべきである。
【０２４０】
図１４ａに示されるユーザープレーン経路再確立を開始するための装置が別個の物理的デバイスとして存在するとき、当該装置のハードウェア構造は図１４ｂに示されるセッション管理機能デバイスであってもよい。図１４ａに示される処理モジュール１４１０ａはプロセッサ１４１０ｂによって実装されてもよく、受信モジュール１４２０ａおよび送信モジュール１４３０ａは通信インターフェース１４２０ｂによって実装されてもよい。加えて、図１４ｂに示されるセッション管理機能デバイスはさらに、メモリ１４３０ｂを含む。メモリ１４３０ｂは、ソフトウェア・プログラム、通信インターフェース１４２０ｂを通じて送信および受信されるデータ情報などを記憶するよう構成される。プロセッサ１４１０ｂは：前記ソフトウェア・プログラムおよびメモリ１４３０ｂに記憶されている前記データを読み、本願の諸実施形態における図２ａまたは図２ｂに示される方法を実装するよう構成される。
【０２４１】
プロセッサ１４１０ｂは、汎用の中央処理ユニット（Central  Processing  Unit、CPU）、マイクロプロセッサ、特定用途向け集積回路（Application-Specific  Integrated  Circuit、ASIC）または一つまたは複数の集積回路であってもよく、本願の諸実施形態において提供される技術的解決策を実装するために、関係した動作を実行するよう構成される。
【０２４２】
図１４ｂに示されるセッション管理機能デバイスについてはプロセッサ１４１０ｂ、通信インターフェース１４２０ｂおよびメモリ１４３０ｂのみが示されているが、具体的な実装プロセスでは、当業者は、セッション管理機能デバイスは、正常な稼働を実現するために必須の他のコンポーネントをも含むことを理解すべきであることを注意しておくべきである。さらに、具体的な要件に基づき、当業者は、セッション管理機能デバイスがさらに、他の追加的な機能を実装するためのハードウェア・コンポーネントを含んでいてもよいことを理解するべきである。加えて、当業者は、セッション管理機能デバイスが代替的に、図１４ｂに示されるすべてのコンポーネントを含む代わりに、本願の実施形態を実装するために必須のコンポーネントまたはモジュールのみを含んでいてもよいことを理解するべきである。
【０２４３】
当業者は、諸実施形態における諸方法の諸プロセスの全部またはいくつかが、関係したハードウェアに命令するコンピュータ・プログラムによって実装されてもよいことを理解しうる。プログラムは、コンピュータ可読記憶媒体に記憶されてもよい。プログラムが走るとき、諸実施形態における諸方法の諸プロセスが実行される。上記の記憶媒体は磁気ディスク、光ディスク、読み出し専用メモリ（Read-Only  Memory、ROM）またはランダムアクセスメモリ（Random  Access  Memory、RAM）を含んでいてもよい。
【０２４４】
上記の実施形態の全部またはいくつかは、ソフトウェア、ハードウェア、ファームウェアまたはそれらの任意の組み合わせを使って実装されてもよい。それらの実施形態を実装するためにソフトウェアが使われるとき、それらの実施形態は完全にまたは部分的にコンピュータ・プログラム・プロダクトの形で実装されてもよい。コンピュータ・プログラム・プロダクトは、一つまたは複数のコンピュータ命令を含む。コンピュータ・プログラム命令がコンピュータ上でロードされ、実行されるとき、本願の諸実施形態に基づく手順または機能が全部または部分的に生成される。コンピュータは、汎用コンピュータ、専用コンピュータ、コンピュータ・ネットワークまたは他のプログラム可能な装置でありうる。コンピュータ命令は、コンピュータ可読記憶媒体に記憶されてもよく、あるいはコンピュータ可読記憶媒体から別のコンピュータ可読記憶媒体に送信されてもよい。たとえば、コンピュータ命令は、ウェブサイト、コンピュータ、サーバーまたはデータ・センターから別のウェブサイト、コンピュータ、サーバーまたはデータ・センターに有線（たとえば同軸ケーブル、光ファイバーまたはデジタル加入者線（DSL）を通じて）または無線（たとえば赤外線、電波およびマイクロ波などを通じて）の仕方で送信されてもよい。コンピュータ可読記憶媒体は、一つまたは複数の使用可能な媒体を統合している、コンピュータまたはデータ記憶装置、たとえばサーバーまたはデータ・センターによってアクセス可能な任意の使用可能な媒体でありうる。使用可能な媒体は、磁気媒体（たとえばフロッピーディスク、ハードディスクまたは磁気テープ）、光媒体（たとえばDVD）、半導体媒体（たとえばソリッドステートディスクSolid  State  Disk（SSD））などでありうる。
【０２４５】
当業者は、本願の実施形態が方法、システムまたはコンピュータ・プログラム・プロダクトとして提供されうることを理解するべきである。よって、本願は、ハードウェアのみの実施形態、ソフトウェアのみの実施形態またはソフトウェアとハードウェアの組み合わせをもつ実施形態の形を使用しうる。さらに、本願は、コンピュータ使用可能プログラム・コードを含む一つまたは複数のコンピュータ使用可能記憶媒体（ディスク・メモリ、CD-ROM、光学式メモリなどを含むがそれに限定されない）上に実装されているコンピュータ・プログラム・プロダクトの形を使ってもよい。
【０２４６】
本願は、本願に基づく方法、装置（システム）およびコンピュータ・プログラム・プロダクトのフローチャートおよび／またはブロック図を参照して記述されている。コンピュータ・プログラム命令が該フローチャートおよび／またはブロック図における各プロセスおよび／または各ブロックならびに該フローチャートおよび／またはブロック図における諸プロセスおよび／または諸ブロックの組み合わせを実装するために使用されうることを理解しておくべきである。これらのコンピュータ・プログラム命令は、汎用コンピュータ、専用コンピュータ、埋め込まれたプロセッサまたは他の任意のプログラム可能なデータ処理装置のプロセッサが、前記コンピュータまたは前記他の任意のプログラム可能なデータ処理装置のプロセッサによって実行される前記命令が前記フローチャートにおける一つまたは複数のプロセスおよび／または前記ブロック図における一つまたは複数のブロックにおいて定義されている具体的な機能を実行するための装置を生成するよう、機械を生成するために提供されうる。
【０２４７】
これらのコンピュータ・プログラム命令は、代替的に、コンピュータまたは他の任意のプログラム可能な処理装置を、特定の仕方で機能するようガイドすることのできる、コンピュータ可読メモリ内に記憶されてもよく、それにより、前記コンピュータ可読メモリに記憶された命令は、命令装置を含む人工物を生成する。前記命令装置は、前記フローチャートにおける一つまたは複数のプロセスおよび／または前記ブロック図における一つまたは複数のブロックにおいて定義される特定の機能を実装する。
【０２４８】
これらのコンピュータ・プログラム命令は、代替的に、コンピュータまたは別のプログラム可能なデータ処理装置にロードされてもよく、一連の動作および段階が前記コンピュータまたは前記別のプログラム可能な装置で実行されて、コンピュータ実装される処理を生成する。したがって、前記コンピュータまたは前記別のプログラム可能な装置で実行される命令は、前記フローチャートにおける一つまたは複数のプロセスおよび／または前記ブロック図における一つまたは複数のブロックにおいて定義される特定の機能を実装するための段階を提供する。
【０２４９】
明らかに、当業者は本願の精神および範囲から外れることなく本願に対してさまざまな修正および変更をなすことができる。本願は、付属の請求項およびその等価な技術によって定義される保護範囲内にはいる限り、本願に対するこれらの修正および変形をカバーすることが意図されている。

【図１】
0006987866.tif 000002
【図２ａ】
0006987866.tif 000003
【図２ｂ】
0006987866.tif 000004
【図３ａ】
0006987866.tif 000005
【図３ｂ】
0006987866.tif 000006
【図４ａ】
0006987866.tif 000007
【図４ｂ】
0006987866.tif 000008
【図５】
0006987866.tif 000009
【図６】
0006987866.tif 000010
【図７】
0006987866.tif 000011
【図８】
0006987866.tif 000012
【図９】
0006987866.tif 000013
【図１０】
0006987866.tif 000014
【図１１ａ】
0006987866.tif 000015
【図１１ｂ】
0006987866.tif 000016
【図１２】
0006987866.tif 000017
【図１３ａ】
0006987866.tif 000018
【図１３ｂ】
0006987866.tif 000019
【図１４ａ】
0006987866.tif 000020
【図１４ｂ】
0006987866.tif 000021